(57)【要約】  本発明は、ダウンリンク制御情報を受信及び送信するための方法及び装置を開示する。受信方法は、端末デバイスにより、第1の時間単位に第1のデータをネットワークデバイスに送信するステップであり、第1のデータは、アップリンク許可シグナリングのないアップリンク送信である、ステップと、第2の時間単位にダウンリンク制御情報を受信するステップであり、ダウンリンク制御情報は、リソース割り当て情報及び第1の無線ネットワーク一時識別子RNTIを含む、ステップと、第1のRNTIに基づいて、ダウンリンク制御情報がダウンリンク許可シグナリングのないアップリンク送信のためのものであると決定するステップと、リソース割り当て情報に対応するリソース上で第1のデータの一部又は全部を再送するステップ、又は、端末デバイスにより、リソース割り当て情報に対応するリソース上で第2のデータを送信するステップであり、第2のデータ及び第1のデータは、同じハイブリッド自動再送要求HARQプロセスのデータである、ステップとを含む。ダウンリンク制御情報を受信及び送信するための方法及び装置は、リソース衝突が許可無しアップリンクデータ送信において発生する場合、端末デバイスがフィードバック情報又はアップリンクスケジューリング情報を継続的に監視するとき、端末デバイスのアップリンクデータ送信における遅延が増加し、システムスペクトル効率が低減されるという従来技術の問題を解決する。
2020511883.tif 000002
【特許請求の範囲】
【請求項１】
ダウンリンク制御情報を受信するための方法であって、
第1の時間単位に第1のデータをネットワークデバイスに送信するステップであり、前記第1のデータは、アップリンク許可シグナリングのないアップリンク送信である、ステップと、
第2の時間単位に前記ネットワークデバイスからダウンリンク制御情報を受信するステップであり、前記ダウンリンク制御情報は、リソース割り当て情報及び前記ダウンリンク制御情報に対応する第1の無線ネットワーク一時識別子RNTIを含む、ステップと、
前記第1のRNTIに基づいて、前記ダウンリンク制御情報がダウンリンク許可シグナリングのない前記アップリンク送信のためのものであると決定するステップと、
前記リソース割り当て情報に対応するリソース上で前記第1のデータの一部又は全部を再送するステップ、又は、前記端末デバイスにより、前記リソース割り当て情報に対応するリソース上で第2のデータを送信するステップであり、前記第2のデータ及び前記第1のデータは、同じハイブリッド自動再送要求HARQプロセスのデータである、ステップと
を含む方法。
【請求項２】
前記ダウンリンク制御情報は、時間オフセット指示を更に含み、前記時間オフセット指示は、前記ダウンリンク制御情報が対象とするデータと前記ダウンリンク制御情報との間の時間オフセットを示すために使用され、
前記第1のRNTIに基づいて、前記ダウンリンク制御情報がダウンリンク許可シグナリングのない前記アップリンク送信のためのものであると決定した後、且つ、前記リソース割り当て情報に対応するリソース上で前記第1のデータの一部又は全部を再送する前に、当該方法は、
前記時間オフセット指示及び前記第2の時間単位に基づいて、前記ダウンリンク制御情報が前記第1の時間単位に送信される前記第1のデータのためのものであると決定するステップを更に含む、請求項１に記載の方法。
【請求項３】
前記ダウンリンク制御情報は、前記時間オフセット指示を更に含み、
前記第1のRNTIに基づいて、前記ダウンリンク制御情報がダウンリンク許可シグナリングのない前記アップリンク送信のためのものであると決定した後、且つ、前記リソース割り当て情報に対応するリソース上で第2のデータを送信する前に、当該方法は、
前記時間オフセット指示及び前記第2の時間単位に基づいて、前記ダウンリンク制御情報が、前記第1の時間単位に送信される前記第1のデータに対応する前記HARQプロセスのためのものであると決定するステップを更に含み、
前記リソース割り当て情報に対応するリソース上で第2のデータを送信するステップは、
前記リソース割り当て情報に対応する前記リソース上で前記HARQプロセスに対応する前記第2のデータを送信するステップを含む、請求項１又は２に記載の方法。
【請求項４】
第1の時間単位に第1のデータをネットワークデバイスに送信するステップは、前記第1の時間単位に第1のリソース上で前記第1のデータを前記ネットワークデバイスに送信するステップであり、前記第1のリソースは、アップリンク許可シグナリングのない前記アップリンク送信のリソースセットに属する、ステップを含み、
当該方法は、前記ダウンリンク制御情報に基づいて、前記リソースセット内のリソース上で前記HARQプロセスに対応するデータを送信するのを停止するステップを更に含む、請求項１乃至３のうちいずれか１項に記載の方法。
【請求項５】
前記時間オフセット指示により示される時間オフセット値は、予め設定された時間オフセット集合の中の1つであり、前記予め設定された時間オフセット集合は、少なくとも1つの時間オフセット値を含み、各時間オフセット値は、オフセット値指示に対応する、請求項２乃至４のうちいずれか１項に記載の方法。
【請求項６】
第1の時間単位に第1のデータをネットワークデバイスに送信する前に、当該方法は、
前記ネットワークデバイスから高レイヤシグナリングを受信するステップであり、前記高レイヤシグナリングは、前記時間オフセット集合を示す、及び/又は、前記高レイヤシグナリングは、前記時間オフセット集合の中の各時間オフセット指示に対応する時間オフセット値を示す、ステップを更に含む、請求項５に記載の方法。
【請求項７】
前記ダウンリンク制御情報は、新データインジケータNDIを更に含み、前記NDIの値は、少なくとも2つの状態を表し、前記少なくとも2つの状態の中の第1の状態は、前記第1のデータの前記一部又は全部が再送されることを示し、前記少なくとも2つの状態の中の第2の状態は、前記第2のデータが送信されることを示し、
前記リソース割り当て情報に対応するリソース上で前記第1のデータの一部又は全部を再送するステップ、又は、前記リソース割り当て情報に対応するリソース上で第2のデータを送信するステップは、
前記NDIの前記第1の状態に基づいて、前記リソース割り当て情報に対応する前記リソース上で前記第1のデータの前記一部又は全部を再送するステップ、又は、前記NDIの前記第2の状態に基づいて、前記リソース割り当て情報に対応する前記リソース上で前記第2のデータを送信するステップを含む、請求項１乃至６のうちいずれか１項に記載の方法。
【請求項８】
ダウンリンク制御情報を送信するための方法であって、
第1の時間単位に端末デバイスにより送信された第1のデータを受信するステップであり、前記第1のデータは、アップリンク許可シグナリングのないアップリンク送信である、ステップと、
第2の時間単位にダウンリンク制御情報を前記端末デバイスに送信するステップであり、前記ダウンリンク制御情報は、リソース割り当て情報及び前記ダウンリンク制御情報に対応する第1の無線ネットワーク一時識別子RNTIを含み、前記第1のRNTIは、前記ダウンリンク制御情報がダウンリンク許可シグナリングのない前記アップリンク送信のためのものであることを示すために使用される、ステップと、
前記リソース割り当て情報に対応するリソース上で前記端末デバイスにより再送された前記第1のデータの一部又は全部を受信するステップ、又は、前記リソース割り当て情報に対応するリソース上で前記端末デバイスにより送信された第2のデータを受信するステップであり、前記第2のデータ及び前記第1のデータは、同じハイブリッド自動再送要求HARQプロセスのデータである、ステップと
を含む方法。
【請求項９】
前記ダウンリンク制御情報は、時間オフセット指示を更に含み、前記時間オフセット指示は、前記ダウンリンク制御情報が対象とするデータと前記ダウンリンク制御情報との間の時間オフセットを示すために使用され、第2の時間単位にダウンリンク制御情報を前記端末デバイスに送信する前に、当該方法は、
前記第1の時間単位と前記第2の時間単位との間の時間オフセット指示を決定するステップを更に含む、請求項８に記載の方法。
【請求項１０】
前記時間オフセット指示により示される時間オフセット値は、予め設定された時間オフセット集合の中の1つであり、前記予め設定された時間オフセット集合は、少なくとも1つの時間オフセット値を含み、各時間オフセット値は、オフセット値指示に対応する、請求項９に記載の方法。
【請求項１１】
第2の時間単位にダウンリンク制御情報を前記端末デバイスに送信する前に、当該方法は、
高レイヤシグナリングを前記端末デバイスに送信するステップであり、前記高レイヤシグナリングは、前記時間オフセット集合を示す、及び/又は、前記高レイヤシグナリングは、前記時間オフセット集合の中の各時間オフセット指示に対応する時間オフセット値を示す、ステップを含む、請求項１０に記載の方法。
【請求項１２】
前記ダウンリンク制御情報は、新データインジケータNDIを更に含み、前記NDIの値は、少なくとも2つの状態を表し、前記少なくとも2つの状態の中の第1の状態は、前記第1のデータの前記一部又は全部が再送されることを示し、前記少なくとも2つの状態の中の第2の状態は、前記第2のデータが送信されることを示し、
前記ダウンリンク制御情報が前記NDIの前記第1の状態を含む場合、前記端末デバイスにより再送された前記第1のデータの前記一部又は全部は、前記リソース割り当て情報に対応する前記リソース上で受信されるか、或いは、
前記ダウンリンク制御情報が前記NDIの前記第2の状態を含む場合、前記端末デバイスにより送信された前記第2のデータは、前記リソース割り当て情報に対応する前記リソース上で受信される、請求項８乃至１１のうちいずれか１項に記載の方法。
【請求項１３】
前記ダウンリンク制御情報は、前記第1の時間単位に送信される前記第1のデータのためのものであり、前記リソース割り当て情報に対応する前記リソースは、前記第1のデータを再送するためのリソースであるか、或いは、
前記ダウンリンク制御情報は、前記第1のデータに対応する前記HARQプロセスのためのものであり、前記リソース割り当て情報に対応する前記リソースは、前記HARQプロセスに対応する前記第2のデータを送信するためのリソースである、請求項８乃至１２のうちいずれか１項に記載の方法。
【請求項１４】
端末デバイスであって、
第1の時間単位に第1のデータをネットワークデバイスに送信し、第2の時間単位に前記ネットワークデバイスからダウンリンク制御情報を受信するように構成されたトランシーバであり、前記第1のデータは、アップリンク許可シグナリングのないアップリンク送信であり、前記ダウンリンク制御情報は、リソース割り当て情報及び前記ダウンリンク制御情報に対応する第1の無線ネットワーク一時識別子RNTIを含む、トランシーバと、
前記第1のRNTIに基づいて、前記ダウンリンク制御情報がダウンリンク許可シグナリングのない前記アップリンク送信のためのものであると決定するように構成されたプロセッサと
を含み、
前記トランシーバは、前記リソース割り当て情報に対応するリソース上で前記第1のデータの一部又は全部を再送するか、或いは、前記リソース割り当て情報に対応するリソース上で第2のデータを送信するように更に構成され、前記第2のデータ及び前記第1のデータは、同じハイブリッド自動再送要求HARQプロセスのデータである、端末デバイス。
【請求項１５】
前記ダウンリンク制御情報は、時間オフセット指示を更に含み、前記時間オフセット指示は、前記ダウンリンク制御情報が対象とするデータと前記ダウンリンク制御情報との間の時間オフセットを示すために使用され、
前記プロセッサは、前記時間オフセット指示及び前記第2の時間単位に基づいて、前記ダウンリンク制御情報が前記第1の時間単位に送信される前記第1のデータのためのものであると決定するように更に構成される、請求項１４に記載の端末デバイス。
【請求項１６】
前記ダウンリンク制御情報は、前記時間オフセット指示を更に含み、
前記プロセッサは、前記時間オフセット指示及び前記第2の時間単位に基づいて、前記ダウンリンク制御情報が、前記第1の時間単位に送信される前記第1のデータに対応する前記HARQプロセスのためのものであると決定するように更に構成され、
前記トランシーバは、前記リソース割り当て情報に対応する前記リソース上で前記HARQプロセスに対応する前記第2のデータを送信するように具体的に構成される、請求項１５に記載の端末デバイス。
【請求項１７】
前記トランシーバが第1の時間単位に第1のデータをネットワークデバイスに送信することは、前記第1の時間単位に第1のリソース上で前記第1のデータを前記ネットワークデバイスに送信し、前記第1のリソースは、アップリンク許可シグナリングのない前記アップリンク送信のリソースセットに属することを含み、
前記プロセッサは、前記ダウンリンク制御情報に基づいて、前記リソースセット内のリソース上で前記HARQプロセスに対応するデータを送信するのを停止することを決定するように更に構成される、請求項１５又は１６に記載の端末デバイス。
【請求項１８】
前記時間オフセット指示により示される時間オフセット値は、予め設定された時間オフセット集合の中の1つであり、前記予め設定された時間オフセット集合は、少なくとも1つの時間オフセット値を含み、各時間オフセット値は、オフセット値指示に対応する、請求項１５乃至１７のうちいずれか１項に記載の端末デバイス。
【請求項１９】
前記トランシーバは、前記ネットワークデバイスから高レイヤシグナリングを受信するように更に構成され、前記高レイヤシグナリングは、前記時間オフセット集合を示す、及び/又は、前記高レイヤシグナリングは、前記時間オフセット集合の中の各時間オフセット指示に対応する時間オフセット値を示す、請求項１８に記載の端末デバイス。
【請求項２０】
前記ダウンリンク制御情報は、新データインジケータNDIを更に含み、前記NDIの値は、少なくとも2つの状態を表し、前記少なくとも2つの状態の中の第1の状態は、前記第1のデータの前記一部又は全部が再送されることを示し、前記少なくとも2つの状態の中の第2の状態は、前記第2のデータが送信されることを示し、
前記トランシーバが前記リソース割り当て情報に対応するリソース上で前記第1のデータの一部又は全部を再送するか、或いは、前記リソース割り当て情報に対応するリソース上で第2のデータを送信することは、
前記NDIの前記第1の状態に基づいて、前記リソース割り当て情報に対応する前記リソース上で前記第1のデータの前記一部又は全部を再送するか、或いは、前記NDIの前記第2の状態に基づいて、前記リソース割り当て情報に対応する前記リソース上で前記第2のデータを送信することを含む、請求項１４乃至１９のうちいずれか１項に記載の端末デバイス。
【請求項２１】
ネットワークデバイスであって、
第1の時間単位に端末デバイスにより送信された第1のデータを受信するように構成された受信機であり、前記第1のデータは、アップリンク許可シグナリングのないアップリンク送信である、受信機と、
第2の時間単位にダウンリンク制御情報を前記端末デバイスに送信するように構成された送信機であり、前記ダウンリンク制御情報は、リソース割り当て情報及び前記ダウンリンク制御情報に対応する第1の無線ネットワーク一時識別子RNTIを含み、前記第1のRNTIは、前記ダウンリンク制御情報がダウンリンク許可シグナリングのない前記アップリンク送信のためのものであることを示すために使用される、送信機と
を含み、
前記受信機は、前記リソース割り当て情報に対応するリソース上で前記端末デバイスにより再送された前記第1のデータの一部又は全部、又は、前記リソース割り当て情報に対応するリソース上で送信された第2のデータを受信するように更に構成され、前記第2のデータ及び前記第1のデータは、同じハイブリッド自動再送要求HARQプロセスのデータである、ネットワークデバイス。
【請求項２２】
当該ネットワークデバイスは、前記第1の時間単位と前記第2の時間単位との間の時間オフセット状態に基づいて時間オフセット指示を決定し、前記時間オフセット指示を前記ダウンリンク制御情報に追加するように構成されたプロセッサであり、前記時間オフセット指示は、前記ダウンリンク制御情報が対象とするデータと前記ダウンリンク制御情報との間の時間オフセットを示すために使用される、プロセッサを更に含む、請求項２１に記載のネットワークデバイス。
【請求項２３】
前記プロセッサは、予め設定された時間オフセット集合の中の時間オフセット値を示すために前記時間オフセット指示を使用するように具体的に構成され、前記予め設定された時間オフセット集合は、少なくとも1つの時間オフセット値を含み、各時間オフセット値は、オフセット値指示に対応する、請求項２２に記載のネットワークデバイス。
【請求項２４】
前記送信機は、高レイヤシグナリングを使用することにより、前記予め設定された時間オフセット集合を前記端末デバイスに送信するように更に構成され、前記高レイヤシグナリングは、前記時間オフセット集合を示す、及び/又は、前記高レイヤシグナリングは、前記時間オフセット集合の中の各時間オフセット指示に対応する時間オフセット値を示す、請求項２３に記載のネットワークデバイス。
【請求項２５】
前記送信機により送信される前記ダウンリンク制御情報は、新データインジケータNDIを更に含み、前記NDIの値は、少なくとも2つの状態を表し、前記少なくとも2つの状態の中の第1の状態は、前記第1のデータの前記一部又は全部が再送されることを示し、前記少なくとも2つの状態の中の第2の状態は、前記第2のデータが送信されることを示す、請求項２１乃至２４のうちいずれか１項に記載のネットワークデバイス。
【請求項２６】
前記ダウンリンク制御情報は、前記第1の時間単位に送信される前記第1のデータのためのものであり、前記リソース割り当て情報に対応する前記リソースは、前記第1のデータを再送するためのリソースであるか、或いは、
前記ダウンリンク制御情報は、前記第1のデータに対応する前記HARQプロセスのためのものであり、前記リソース割り当て情報に対応する前記リソースは、前記HARQプロセスに対応する前記第2のデータを送信するためのリソースである、請求項２１乃至２５のうちいずれか１項に記載のネットワークデバイス。
【請求項２７】
プロセッサと、前記プロセッサに結合されたメモリとを含む、ダウンリンク制御情報を受信するための装置であって、
前記メモリは、プログラムを記憶するように構成され、前記プロセッサは、前記プログラムを実行するように構成され、前記プログラムが実行されたとき、請求項１乃至７のうちいずれか１項に記載の方法のステップが実現される、装置。
【請求項２８】
プロセッサと、前記プロセッサに結合されたメモリとを含む、ダウンリンク制御情報を送信するための装置であって、
前記メモリは、プログラムを記憶するように構成され、前記プロセッサは、前記プログラムを実行するように構成され、前記プログラムが実行されたとき、請求項８乃至１３のうちいずれか１項に記載の方法のステップが実現される、装置。
【請求項２９】
命令を含むコンピュータ記憶媒体であって、
前記命令がコンピュータ上で実行されたとき、前記コンピュータは、請求項１乃至１３のうちいずれか１項に記載の方法を実行する、コンピュータ記憶媒体。
【発明の詳細な説明】
【技術分野】
【０００１】
［関連出願への相互参照］
この出願は、2017年3月23日に中国特許庁に出願された「METHOD  AND  APPARATUS  FOR  RECEIVING  AND  SENDING  DOWNLINK  CONTROL  INFORMATION」という名称の中国特許出願第201710179469.X号に対する優先権を主張し、その全内容を参照により援用する。
【０００２】
［技術分野］
本発明は、通信技術の分野に関し、特に、ダウンリンク制御情報を受信及び送信するための方法及び装置に関する。
【背景技術】
【０００３】
5G通信システムは、より高いシステム性能をサポートすることに打ち込んでいる。5G通信システムは、複数のサービスタイプ、異なる展開シナリオ及びより広いスペクトル範囲をサポートする。複数のサービスタイプは、拡張モバイルブロードバンド(enhanced  Mobile  Broadband,  eMBB)、大容量マシンタイプ通信(Massive  Machine  Type  Communication,  mMTC)、超高信頼性及び低遅延通信(Ultra-reliable  and  low  latency  communications,  URLLC)、マルチメディアブロードキャストマルチキャストサービス(Multimedia  Broadcast  Multicast  Service,  MBMS)、測位サービス等を含む。異なる展開シナリオは、屋内ホットスポット(Indoor  hotspot)、密集都市部(dense  urban)、郊外、都市部マクロ(Urban  Macro)、高速鉄道シナリオ等を含む。より広いスペクトル範囲は、5Gが6GHz以下の低周波数部分と6GHz〜100GHzの高周波数部分との双方を含む100GHzまでのスペクトル範囲をサポートすることを意味する。
【０００４】
4G通信システムと比較して、5G通信システムは、1つのより重要な特徴、すなわち、URLLCサービスをサポートすることを有する。多くのタイプのURLLCサービスが存在し、典型的なユースケースは、産業制御、産業製造プロセス自動化、マンマシン相互作用、遠隔医療等を含む。
【０００５】
2つのタイプのURLLCサービス、すなわち、データパケットが周期的に到着し、半永続的スケジューリングが使用され得る周期的サービスと、データパケットの到着が予測不可能であり、半永続的スケジューリングが適切でなく、ロングタームエボリューション(Long  Term  Evolution,  LTE)における動的スケジューリングもデータパケット送信において遅延を引き起こす突発的サービスとが存在する。ユーザのアップリンクリソース要求及び基地局のダウンリンクスケジューリング命令を送信するステップなしに、許可無し(grant-free)アップリンク送信方式は、物理層処理と送信遅延及びシグナリングオーバヘッドとの双方を低減でき、したがって、URLLCアップリンク送信の候補技術になる。
【０００６】
許可無しアップリンク送信方式(すなわち、アップリンク許可シグナリングのないアップリンク送信方式)の具体的な実現方式は以下の通りである。
【０００７】
基地局は、端末デバイスのために、1つのアップリンクリソース又は1つのグループのアップリンクリソース(リソースプール)を予め構成する。
【０００８】
アップリンクデータが送信される必要があると決定したとき、端末デバイスは、データ送信のために予め構成されたリソースを選択するか、或いは、予め構成されたリソースプールからリソースをランダムに選択する。2つの端末デバイスがアップリンクデータを送信するために予め設定された方式で同じリソースを選択した場合、異なるユーザが同じリソース上でデータを送信する可能性があり、すなわち、リソース衝突が発生することが習得できる。図１に示すように、端末デバイス1及び端末デバイス3は、同じリソースを選択し、リソース衝突を引き起こす。リソース衝突は、基地局のアップリンク受信に影響を与える。基地局は、実現方式の複雑さを増加させる高度受信機アルゴリズム(例えば、マルチユーザ干渉キャンセル)を使用してもよく、それにより、リソース衝突の影響を低減する。
【０００９】
アップリンクデータ送信の低遅延及び高信頼性を確保するために、許可無しアップリンク送信は、繰り返し送信方式をサポートする。図２に示すように、アップリンクデータは、基地局が復調及び復号化を正しく実行するまで、K回(初期送信を含む)繰り返し送信されてもよい。従来技術における解決策に基づいて、端末デバイスがアップリンクデータを送信したとき、リソース衝突が発生した場合、端末デバイスは、アップリンクデータをK回繰り返し送信した後に、常にアップリンクデータを送信するのを停止し、リソースが浪費され、更なる干渉がシステムに引き起こされると決定できる。したがって、許可無しアップリンクデータの繰り返し送信を回避するために、端末デバイスは、以下の場合にアップリンクデータの送信を終了する必要がある。
【００１０】
A1.アップリンクデータがK回繰り返し送信された。
【００１１】
A2.端末デバイスは、現在のデータ送信回数に応じて送信される、正しい受信の送達確認情報、例えば、ACKを受信する。
【００１２】
A3.端末デバイスは、現在のデータ送信回数に応じて送信されるアップリンクスケジューリング情報を受信する。
【００１３】
最後の2つについて、端末デバイスは、いつネットワークデバイスが端末デバイスを検出してデータを正しく受信できたかを決定できないので、端末デバイスは、アップリンクデータを送信した後に、フィードバック情報又はアップリンクスケジューリング情報を監視し始める。従来技術では、端末デバイスは、フィードバック情報又はアップリンクスケジューリング情報を継続的に監視し、端末デバイスのアップリンクデータ送信における遅延を増加させ、システムスペクトル効率を低減する。
【発明の概要】
【００１４】
本発明は、ダウンリンク制御情報を受信及び送信するための方法及び装置を提供する。本発明において提供される方法及び装置は、リソース衝突が許可無しアップリンクデータ送信において発生する場合、端末デバイスがフィードバック情報又はアップリンクスケジューリング情報を継続的に監視するとき、端末デバイスのアップリンクデータ送信における遅延が増加し、システムスペクトル効率が低減されるという従来技術の問題を解決する。
【００１５】
第1の態様によれば、ダウンリンク制御情報を受信するための方法が提供され、当該方法は、
端末デバイスにより、第1の時間単位に第1のデータをネットワークデバイスに送信するステップであり、第1のデータは、アップリンク許可シグナリングのないアップリンク送信であり、第1の時間単位は第1のデータを送信するための時間値である、ステップと、
端末デバイスにより、第2の時間単位にネットワークデバイスからダウンリンク制御情報を受信するステップであり、ダウンリンク制御情報は、リソース割り当て情報及びダウンリンク制御情報に対応する第1の無線ネットワーク一時識別子RNTIを含む、ステップと、
第1のRNTIに基づいて、ダウンリンク制御情報がダウンリンク許可シグナリングのないアップリンク送信のためのものであると決定するステップと、
端末デバイスにより、リソース割り当て情報に対応するリソース上で第1のデータの一部又は全部を再送するステップ、又は、端末デバイスにより、リソース割り当て情報に対応するリソース上で第2のデータを送信するステップであり、第2のデータ及び第1のデータは、同じハイブリッド自動再送要求HARQプロセスのデータである、ステップと
を含む。
【００１６】
この実施形態では、端末デバイスは、ネットワークデバイスにより配信された特定のRNTI(すなわち、第1のRNTI)に基づいて、現在送信されている制御情報が、アップリンク許可シグナリングのないアップリンク送信のためのものであると決定し、RNTIを受信した後に、端末デバイスは、フィードバック情報又はアップリンクスケジューリング情報を監視するのを停止してもよく、それにより、端末デバイスのアップリンクデータ送信における遅延を低減し、システムスペクトル効率を改善する。
【００１７】
他の任意選択の実現方式では、ダウンリンク制御情報は、時間オフセット指示を更に含み、時間オフセット指示は、ダウンリンク制御情報が対象とするデータとダウンリンク制御情報との間の時間オフセットを示すために使用され、
端末デバイスにより、第1のRNTIに基づいて、ダウンリンク制御情報がダウンリンク許可シグナリングのないアップリンク送信のためのものであると決定した後、且つ、端末デバイスにより、リソース割り当て情報に対応するリソース上で第1のデータの一部又は全部を再送する前に、当該方法は、
端末デバイスにより、時間オフセット指示及び第2の時間単位に基づいて、ダウンリンク制御情報が第1の時間単位に送信される第1のデータのためのものであると決定するステップを更に含む。
【００１８】
他の任意選択の実現方式では、ダウンリンク制御情報は、時間オフセット指示を更に含み、
端末デバイスにより、第1のRNTIに基づいて、ダウンリンク制御情報がダウンリンク許可シグナリングのないアップリンク送信のためのものであると決定した後、且つ、端末デバイスにより、リソース割り当て情報に対応するリソース上で第2のデータを送信する前に、当該方法は、
端末デバイスにより、時間オフセット指示及び第2の時間単位に基づいて、ダウンリンク制御情報が、第1の時間単位に送信される第1のデータに対応するHARQプロセスのためのものであると決定するステップを更に含み、
端末デバイスにより、リソース割り当て情報に対応するリソース上で第2のデータを送信するステップは、
端末デバイスにより、リソース割り当て情報に対応するリソース上でHARQプロセスに対応する第2のデータを送信するステップを含む。
【００１９】
他の任意選択の実現方式では、端末デバイスにより、第1の時間単位に第1のデータをネットワークデバイスに送信するステップは、端末デバイスにより、第1の時間単位に第1のリソース上で第1のデータをネットワークデバイスに送信するステップであり、第1のリソースは、アップリンク許可シグナリングのないアップリンク送信のリソースセットに属する、ステップを含み、
当該方法は、端末デバイスにより、ダウンリンク制御情報に基づいて、リソースセット内のリソース上でHARQプロセスに対応するデータを送信するのを停止するステップを更に含む。
【００２０】
他の任意選択の実現方式では、時間オフセット指示により示される時間オフセット値は、予め設定された時間オフセット集合の中の1つであり、予め設定された時間オフセット集合は、少なくとも1つの時間オフセット値を含み、各時間オフセット値は、オフセット値指示に対応する。
【００２１】
他の任意選択の実現方式では、端末デバイスにより、第1の時間単位に第1のデータをネットワークデバイスに送信する前に、当該方法は、
端末デバイスにより、ネットワークデバイスから高レイヤシグナリングを受信するステップであり、高レイヤシグナリングは、時間オフセット集合を示す、及び/又は、高レイヤシグナリングは、時間オフセット集合の中の各時間オフセット指示に対応する時間オフセット値を示す、ステップを更に含む。
【００２２】
上記の任意選択の実現方式では、ダウンリンク制御情報は、送信中に時間オフセット指示を更に搬送し、それにより、端末デバイスが複数のHARQプロセスのアップリンク送信をサポートするとき、端末デバイスは、時間オフセット指示に基づいて、現在のダウンリンク制御情報が対象とするHARQプロセスのトランスポートブロックを決定してもよい。
【００２３】
他の任意選択の実現方式では、ダウンリンク制御情報は、新データインジケータNDIを更に含み、NDIの値は、少なくとも2つの状態を表し、少なくとも2つの状態の中の第1の状態は、第1のデータの一部又は全部が再送されることを示し、少なくとも2つの状態の中の第2の状態は、第2のデータが送信されることを示し、
端末デバイスにより、リソース割り当て情報に対応するリソース上で第1のデータの一部又は全部を再送するステップ、又は、端末デバイスにより、リソース割り当て情報に対応するリソース上で第2のデータを送信するステップは、
端末デバイスにより、NDIの第1の状態に基づいて、リソース割り当て情報に対応するリソース上で第1のデータの一部又は全部を再送するステップ、又は、端末デバイスにより、NDIの第2の状態に基づいて、リソース割り当て情報に対応するリソース上で第2のデータを送信するステップを含む。
【００２４】
第2の態様によれば、ダウンリンク制御情報を受信するための方法が提供され、当該方法は、
端末デバイスにより、第1のデータをネットワークデバイスに送信するステップであり、第1のデータは、アップリンク許可シグナリングのないアップリンク送信である、ステップと、
端末デバイスにより、ネットワークデバイスからダウンリンク制御情報を受信するステップであり、ダウンリンク制御情報は、第1のHARQプロセス番号及びリソース割り当て情報を含む、ステップと、
第1のHARQプロセス番号が取得された第2のHARQプロセス番号と同じであると端末デバイスが決定した場合、端末デバイスにより、ダウンリンク制御情報がアップリンク許可シグナリングのないアップリンク送信のためのものであると決定するステップと、
端末デバイスにより、リソース割り当て情報に対応するリソース上で第1のデータの一部又は全部を再送するステップ、又は、端末デバイスにより、リソース割り当て情報に対応するリソース上で第2のデータを送信するステップであり、第2のデータ及び第1のデータは、同じハイブリッド自動再送要求HARQプロセスのデータである、ステップと
を含む。
【００２５】
他の任意選択の実現方式では、ダウンリンク制御情報は、新データインジケータNDIを更に含み、NDIの値は、少なくとも2つの状態を表し、少なくとも2つの状態の中の第1の状態は、第1のデータの一部又は全部が再送されることを示し、少なくとも2つの状態の中の第2の状態は、第2のデータが送信されることを示し、
端末デバイスにより、リソース割り当て情報に対応するリソース上で第1のデータの一部又は全部を再送するステップ、又は、端末デバイスにより、リソース割り当て情報に対応するリソース上で第2のデータを送信するステップは、
端末デバイスにより、NDIの第1の状態に基づいて、リソース割り当て情報に対応するリソース上で第1のデータの一部又は全部を再送するステップ、又は、端末デバイスにより、NDIの第2の状態に基づいて、リソース割り当て情報に対応するリソース上で第2のデータを送信するステップを含む。
【００２６】
他の任意選択の実現方式では、端末デバイスにより、ネットワークデバイスからダウンリンク制御情報を受信する前に、当該方法は、
端末デバイスにより、予め定義されたHARQプロセス番号から第2のHARQプロセス番号を取得するステップ、又は
端末デバイスにより、ネットワークデバイスにより送信された構成情報から、第2のHARQプロセス番号を取得するステップ
を更に含む。
【００２７】
第3の態様によれば、ダウンリンク制御情報を送信するための方法が提供され、当該方法は、
ネットワークデバイスにより、第1の時間単位に端末デバイスにより送信された第1のデータを受信するステップであり、第1のデータは、アップリンク許可シグナリングのないアップリンク送信である、ステップと、
ネットワークデバイスにより、第2の時間単位にダウンリンク制御情報を端末デバイスに送信するステップであり、ダウンリンク制御情報は、リソース割り当て情報及びダウンリンク制御情報に対応する第1の無線ネットワーク一時識別子RNTIを含み、第1のRNTIは、ダウンリンク制御情報がダウンリンク許可シグナリングのないアップリンク送信のためのものであることを示すために使用される、ステップと、
ネットワークデバイスにより、リソース割り当て情報に対応するリソース上で端末デバイスにより再送された第1のデータの一部又は全部を受信するステップ、又は、ネットワークデバイスにより、リソース割り当て情報に対応するリソース上で端末デバイスにより送信された第2のデータを受信するステップであり、第2のデータ及び第1のデータは、同じハイブリッド自動再送要求HARQプロセスのデータである、ステップと
を含む。
【００２８】
任意選択の実現方式では、ダウンリンク制御情報は、時間オフセット指示を更に含み、時間オフセット指示は、ダウンリンク制御情報が対象とするデータとダウンリンク制御情報との間の時間オフセットを示すために使用され、ネットワークデバイスにより、第2の時間単位にダウンリンク制御情報を端末デバイスに送信する前に、当該方法は、
ネットワークデバイスにより、第1の時間単位と第2の時間単位との間の時間オフセット指示を決定するステップを更に含む。
【００２９】
任意選択の実現方式では、時間オフセット指示により示される時間オフセット値は、予め設定された時間オフセット集合の中の1つであり、予め設定された時間オフセット集合は、少なくとも1つの時間オフセット値を含み、各時間オフセット値は、オフセット値指示に対応する。
【００３０】
任意選択の実現方式では、ネットワークデバイスにより、第2の時間単位にダウンリンク制御情報を端末デバイスに送信する前に、当該方法は、
ネットワークデバイスにより、高レイヤシグナリングを端末デバイスに送信するステップであり、高レイヤシグナリングは、時間オフセット集合を示す、及び/又は、高レイヤシグナリングは、時間オフセット集合の中の各時間オフセット指示に対応する時間オフセット値を示す、ステップを含む。
【００３１】
他の任意選択の実現方式では、ダウンリンク制御情報は、新データインジケータNDIを更に含み、NDIの値は、少なくとも2つの状態を表し、少なくとも2つの状態の中の第1の状態は、第1のデータの一部又は全部が再送されることを示し、少なくとも2つの状態の中の第2の状態は、第2のデータが送信されることを示し、
ダウンリンク制御情報がNDIの第1の状態を含む場合、ネットワークデバイスは、リソース割り当て情報に対応するリソース上で、端末デバイスにより再送された第1のデータの一部又は全部を受信するか、或いは、
ダウンリンク制御情報がNDIの第2の状態を含む場合、ネットワークデバイスは、リソース割り当て情報に対応するリソース上で、端末デバイスにより送信された第2のデータを受信する。
【００３２】
任意選択の実現方式では、ダウンリンク制御情報は、第1の時間単位に送信される第1のデータのためのものであり、リソース割り当て情報に対応するリソースは、第1のデータを再送するためのリソースであるか、或いは、
ダウンリンク制御情報は、第1のデータに対応するHARQプロセスのためのものであり、リソース割り当て情報に対応するリソースは、HARQプロセスに対応する第2のデータを送信するためのリソースである。
【００３３】
第4の態様によれば、端末デバイスが提供され、
第1の時間単位に第1のデータをネットワークデバイスに送信し、第2の時間単位にネットワークデバイスからダウンリンク制御情報を受信するように構成されたトランシーバであり、第1のデータは、アップリンク許可シグナリングのないアップリンク送信であり、ダウンリンク制御情報は、リソース割り当て情報及びダウンリンク制御情報に対応する第1の無線ネットワーク一時識別子RNTIを含む、トランシーバと、
第1のRNTIに基づいて、ダウンリンク制御情報がダウンリンク許可シグナリングのないアップリンク送信のためのものであると決定するように構成されたプロセッサと
を含み、
トランシーバは、リソース割り当て情報に対応するリソース上で第1のデータの一部又は全部を再送するか、或いは、リソース割り当て情報に対応するリソース上で第2のデータを送信するように更に構成され、第2のデータ及び第1のデータは、同じハイブリッド自動再送要求HARQプロセスのデータである。
【００３４】
任意選択の実現方式では、ダウンリンク制御情報は、時間オフセット指示を更に含み、時間オフセット指示は、ダウンリンク制御情報が対象とするデータとダウンリンク制御情報との間の時間オフセットを示すために使用され、
プロセッサは、時間オフセット指示及び第2の時間単位に基づいて、ダウンリンク制御情報が第1の時間単位に送信される第1のデータのためのものであると決定するように更に構成される。
【００３５】
任意選択の実現方式では、ダウンリンク制御情報は、時間オフセット指示を更に含み、
プロセッサは、時間オフセット指示及び第2の時間単位に基づいて、ダウンリンク制御情報が、第1の時間単位に送信される第1のデータに対応するHARQプロセスのためのものであると決定するように更に構成され、
トランシーバは、リソース割り当て情報に対応するリソース上でHARQプロセスに対応する第2のデータを送信するように具体的に構成される。
【００３６】
任意選択の実現方式では、トランシーバが第1の時間単位に第1のデータをネットワークデバイスに送信することは、第1の時間単位に第1のリソース上で第1のデータをネットワークデバイスに送信し、第1のリソースは、アップリンク許可シグナリングのないアップリンク送信のリソースセットに属することを含み、
プロセッサは、ダウンリンク制御情報に基づいて、リソースセット内のリソース上でHARQプロセスに対応するデータを送信するのを停止することを決定するように更に構成される。
【００３７】
任意選択の実現方式では、時間オフセット指示により示される時間オフセット値は、予め設定された時間オフセット集合の中の1つであり、予め設定された時間オフセット集合は、少なくとも1つの時間オフセット値を含み、各時間オフセット値は、オフセット値指示に対応する。
【００３８】
任意選択の実現方式では、トランシーバは、ネットワークデバイスから高レイヤシグナリングを受信するように更に構成され、高レイヤシグナリングは、時間オフセット集合を示す、及び/又は、高レイヤシグナリングは、時間オフセット集合の中の各時間オフセット指示に対応する時間オフセット値を示す。
【００３９】
任意選択の実現方式では、ダウンリンク制御情報は、新データインジケータNDIを更に含み、NDIの値は、少なくとも2つの状態を表し、少なくとも2つの状態の中の第1の状態は、第1のデータの一部又は全部が再送されることを示し、少なくとも2つの状態の中の第2の状態は、第2のデータが送信されることを示し、
トランシーバがリソース割り当て情報に対応するリソース上で第1のデータの一部又は全部を再送するか、或いは、リソース割り当て情報に対応するリソース上で第2のデータを送信することは、
NDIの第1の状態に基づいて、リソース割り当て情報に対応するリソース上で第1のデータの一部又は全部を再送するか、或いは、NDIの第2の状態に基づいて、リソース割り当て情報に対応するリソース上で第2のデータを送信することを含む。
【００４０】
第4の態様によれば、ネットワークデバイスが提供され、
第1の時間単位に端末デバイスにより送信された第1のデータを受信するように構成された受信機であり、第1のデータは、アップリンク許可シグナリングのないアップリンク送信である、受信機と、
第2の時間単位にダウンリンク制御情報を端末デバイスに送信するように構成された送信機であり、ダウンリンク制御情報は、リソース割り当て情報及びダウンリンク制御情報に対応する第1の無線ネットワーク一時識別子RNTIを含み、第1のRNTIは、ダウンリンク制御情報がダウンリンク許可シグナリングのないアップリンク送信のためのものであることを示すために使用される、送信機と
を含み、
受信機は、リソース割り当て情報に対応するリソース上で端末デバイスにより再送された第1のデータの一部又は全部、又は、リソース割り当て情報に対応するリソース上で送信された第2のデータを受信するように更に構成され、第2のデータ及び第1のデータは、同じハイブリッド自動再送要求HARQプロセスのデータである。
【００４１】
任意選択の実現方式では、ネットワークデバイスは、第1の時間単位と第2の時間単位との間の時間オフセット状態に基づいて時間オフセット指示を決定し、時間オフセット指示をダウンリンク制御情報に追加するように構成されたプロセッサであり、時間オフセット指示は、ダウンリンク制御情報が対象とするデータとダウンリンク制御情報との間の時間オフセットを示すために使用される、プロセッサを更に含む。
【００４２】
任意選択の実現方式では、プロセッサは、予め設定された時間オフセット集合の中の時間オフセット値を示すために時間オフセット指示を使用するように具体的に構成され、予め設定された時間オフセット集合は、少なくとも1つの時間オフセット値を含み、各時間オフセット値は、オフセット値指示に対応する。
【００４３】
任意選択の実現方式では、送信機は、高レイヤシグナリングを使用することにより、予め設定された時間オフセット集合をネットワークデバイスに送信するように更に構成され、高レイヤシグナリングは、時間オフセット集合を示す、及び/又は、高レイヤシグナリングは、時間オフセット集合の中の各時間オフセット指示に対応する時間オフセット値を示す。
【００４４】
任意選択の実現方式では、ダウンリンク制御情報は、新データインジケータNDIを更に含み、NDIの値は、少なくとも2つの状態を表し、少なくとも2つの状態の中の第1の状態は、第1のデータの一部又は全部が再送されることを示し、少なくとも2つの状態の中の第2の状態は、第2のデータが送信されることを示し、それにより、端末デバイスは、NDIの第1の状態に基づいて、リソース割り当て情報に対応するリソース上で第1のデータの一部又は全部を再送するか、或いは、端末デバイスは、NDIの第2の状態に基づいて、リソース割り当て情報に対応するリソース上で第2のデータを送信する。
【００４５】
この出願の実施形態において提供される解決策では、端末デバイスは、ネットワークデバイスにより配信された特定のRNTI(すなわち、第1のRNTI)に基づいて、現在送信されている制御情報が、アップリンク許可シグナリングのないアップリンク送信のためのものであると決定し、RNTIを受信した後に、端末デバイスは、フィードバック情報又はアップリンクスケジューリング情報を監視するのを停止してもよく、それにより、端末デバイスのアップリンクデータ送信における遅延を低減し、システムスペクトル効率を改善する。
【図面の簡単な説明】
【００４６】
【図１】ユーザが同じリソースを選択し、リソース衝突を引き起こす場合の概略図である。
【図２】ユーザのアップリンクデータをK回繰り返し送信する概略図である。
【図３】この出願の実施形態によるダウンリンク制御情報を受信するための方法の概略フローチャートである。
【図４】この出願の実施形態によるダウンリンク制御情報を受信するための他の方法の概略フローチャートである。
【図５】この出願の実施形態による端末デバイスの概略構造図である。
【図６】この出願の実施形態による他の端末デバイスの概略構造図である。
【図７】この出願の実施形態によるネットワークデバイスの概略構造図である。
【図８】この出願の実施形態による他のネットワークデバイスの概略構造図である。
【発明を実施するための形態】
【００４７】
本発明において提供される解決策の具体的な実現プロセスをより明確に説明するために、この出願の実施形態において提供される方法について、具体的な例を参照して以下に詳細に更に説明する。
【００４８】
図３に示すように、この出願の実施形態は、ダウンリンク制御情報を受信するための方法を提供し、当該方法は、以下の実現ステップを具体的に含んでもよい。
【００４９】
ステップ301:端末デバイスは、第1の時間単位に第1のデータをネットワークデバイスに送信し、第1のデータは、アップリンク許可シグナリングのないアップリンク送信である。
【００５０】
ステップ302:ネットワークデバイスは、第2の時間単位にダウンリンク制御情報を端末デバイスに送信し、ダウンリンク制御情報は、リソース割り当て情報及びダウンリンク制御情報に対応する第1の無線ネットワーク一時識別子(Radio  Network  Temporary  Identity,  RNTI)を含み、第1のRNTIは、ダウンリンク制御情報がダウンリンク許可シグナリングのないアップリンク送信のためのものであることを示すために使用される。
【００５１】
端末デバイスが複数のハイブリッド自動再送要求(Hybrid  Automatic  Repeat  Request,  HARQ)プロセスのアップリンク送信をサポートするとき、端末デバイスが、現在のダウンリンク制御情報が対象とするHARQプロセスのトランスポートブロックを決定するために、この実施例では、HARQプロセスに対応するトランスポートブロックとダウンリンク制御情報との間の時間オフセットは、ダウンリンク制御情報で更に搬送されてもよい。したがって、ネットワークデバイスにより、第2の時間単位にダウンリンク制御情報を端末デバイスに送信する前に、当該方法は、
ネットワークデバイスにより、第1の時間単位と第2の時間単位との間の時間オフセット状態に基づいて時間オフセット指示を決定し、時間オフセット指示をダウンリンク制御情報に追加し、時間オフセット指示は、ダウンリンク制御情報が対象とするデータとダウンリンク制御情報との間の時間オフセットを示すために使用されることを更に含む。
【００５２】
ステップ303:ダウンリンク制御情報を受信した後に、端末デバイスは、ダウンリンク制御情報内の第1のRNTIに基づいて、ダウンリンク制御情報がダウンリンク許可シグナリングのないアップリンク送信のためのものであると決定する。
【００５３】
この実施形態では、ネットワークデバイスは、複数の方式で第1のRNTIを端末デバイスに送信してもよい。1つの方式では、ネットワークデバイスは、ダウンリンク制御情報の巡回冗長検査ビットをスクランブル化するためのスクランブルコードとして第1のRNTIを使用してもよく、次いで、対応して、ダウンリンク制御情報の巡回冗長検査ビットをスクランブル解除するとき、端末デバイスは、ダウンリンク制御情報の巡回冗長検査ビットをスクランブル解除するためのスクランブルコードとして第1のRNTIを使用してもよい。
【００５４】
ダウンリンク制御情報を送信するとき、ネットワークデバイスは、ダウンリンク制御情報の巡回冗長検査ビットをスクランブル化するために第1のRNTIを使用し、スクランブル化されたダウンリンク制御情報を端末デバイスに送信してもよい。
【００５５】
ダウンリンク制御情報を受信した後に、端末デバイスが、ダウンリンク制御情報内の第1のRNTIに基づいて、ダウンリンク制御情報がダウンリンク許可シグナリングのないアップリンク送信のためのものであると決定することは、
端末デバイスにより、第1のRNTIを使用することによりダウンリンク制御情報の巡回冗長検査ビットをスクランブル解除し、スクランブル解除された巡回冗長検査ビットのチェックサムがゼロである場合、端末デバイスにより、ダウンリンク制御情報が、ダウンリンク許可シグナリングのないアップリンク送信のためのものであると決定することを含む。
【００５６】
ステップ304:端末デバイスは、リソース割り当て情報に対応するリソース上で第1のデータの一部又は全部を再送するか、或いは、端末デバイスは、リソース割り当て情報に対応するリソース上で第2のデータを送信し、第2のデータ及び第1のデータは、同じHARQプロセスのデータである。
【００５７】
この実施形態では、ダウンリンク制御情報は、第1の時間単位に送信される第1のデータのためのものであり、リソース割り当て情報に対応するリソースは、第1のデータを再送するためのリソースであるか、或いは、
ダウンリンク制御情報は、第1のデータに対応するHARQプロセスのためのものであり、リソース割り当て情報に対応するリソースは、HARQプロセスに対応する第2のデータを送信するためのリソースである。
【００５８】
ネットワークデバイスは、リソース割り当て情報に対応するリソース上で端末デバイスにより再送された第1のデータの一部又は全部、又は、リソース割り当て情報に対応するリソース上で端末デバイスにより送信された第2のデータを受信する。
【００５９】
この実施形態では、ダウンリンク制御情報がダウンリンク許可シグナリングのないアップリンク送信のためのものであると決定された後に、ネットワークデバイスにより送信される新データインジケータ(New  data  indication,  NDI)は、第1のデータを再送するか、新たな第2のデータを送信するかを決定するために更に使用されてもよい。具体的な実現プロセスは以下の通りでもよい。
【００６０】
A1.ネットワークデバイスは、新データインジケータNDIをダウンリンク制御情報に追加する。NDIの値は、少なくとも2つの状態を表し、少なくとも2つの状態の中の第1の状態は、第1のデータの一部又は全部が再送されることを示し、少なくとも2つの状態の中の第2の状態は、第2のデータが送信されることを示す。
【００６１】
A2.端末デバイスは、NDIの第1の状態に基づいて、リソース割り当て情報に対応するリソース上で第1のデータの一部又は全部を再送するか、或いは、端末デバイスは、NDIの第2の状態に基づいて、リソース割り当て情報に対応するリソース上で第2のデータを送信する。
【００６２】
任意選択で、アップリンク許可シグナリングのないアップリンク送信は、大量のリソースを占有するので、リソース利用率を改善するために、この実施形態では、データがアップリンク許可シグナリングのないアップリンク送信を必要としないと決定された場合、アップリンク許可シグナリングのないアップリンク送信は終了できる。具体的な実現方式は以下の通りでもよい。
【００６３】
端末デバイスが第1の時間単位に第1のデータをネットワークデバイスに送信することは、端末デバイスにより、第1の時間単位に第1のリソース上で第1のデータをネットワークデバイスに送信し、第1のリソースは、アップリンク許可シグナリングのないアップリンク送信のリソースセットに属することを含む。
【００６４】
当該方法は、端末デバイスにより、ダウンリンク制御情報に基づいて、リソースセット内のリソース上でHARQプロセスに対応するデータを送信するのを停止することを更に含む。
【００６５】
この実施形態では、端末デバイスが複数のデータをネットワークデバイスに送信する場合、ネットワークデバイスがダウンリンク制御情報を送信する対象のデータは、以下の実現方式を使用することにより決定されてもよい。端末デバイスにより、第1のRNTIに基づいて、ダウンリンク制御情報がダウンリンク許可シグナリングのないアップリンク送信のためのものであると決定した後、且つ、端末デバイスにより、リソース割り当て情報に対応するリソース上で第1のデータの一部又は全部を再送する前に、当該方法は、
時間オフセット指示を使用することにより、ダウンリンク制御情報に対応する第1のデータを決定することを具体的に含む。具体的には以下の通りである。
【００６６】
B1.ネットワークデバイスは、時間オフセット指示をダウンリンク制御情報に追加し、時間オフセット指示は、時間オフセット指示を含むダウンリンク制御情報と対応するデータとの間のオフセット状態を示してもよい。
【００６７】
任意選択で、ネットワークデバイスは、第1の時間単位と第2の時間単位との間の時間オフセット状態に基づいて時間オフセット指示を決定し、時間オフセット指示をダウンリンク制御情報に追加してもよい。
【００６８】
具体的には、ネットワークデバイスが第1の時間単位と第2の時間単位との間の時間オフセット状態に基づいて時間オフセット指示を決定することは、
ネットワークデバイスにより、第1の時間単位と第2の時間単位との間の時間オフセット値を決定し、
予め設定された時間オフセット集合に基づいて、時間オフセット値に対応する時間オフセット指示を決定し、予め設定された時間オフセット集合は、少なくとも1つの時間オフセット値と少なくとも1つの時間オフセット指示との間の対応関係を含むことでもよい。
【００６９】
任意選択で、ネットワークデバイスにより、予め設定された時間オフセット集合を端末デバイスに送信する具体的な実現方式は、
ネットワークデバイスにより、高レイヤシグナリングを使用することにより時間オフセット集合をネットワークデバイスに送信することでもよい。
【００７０】
B2.端末デバイスは、ダウンリンク制御情報内の時間オフセット指示及び第2の時間単位に基づいて、ダウンリンク制御情報が第1の時間単位において送信される第1のデータのためのものであると決定する。
【００７１】
さらに、ダウンリンク制御情報に対応する第2のデータは、時間オフセット指示を使用することにより決定される。具体的には、
端末デバイスは、時間オフセット指示及び第2の時間単位に基づいて、ダウンリンク制御情報が、第1の時間単位に送信される第1のデータに対応するHARQプロセスのためのものであると決定し、
端末デバイスにより、リソース割り当て情報に対応するリソース上で第2のデータを送信することは、
端末デバイスにより、リソース割り当て情報に対応するリソース上でHARQプロセスに対応する第2のデータを送信することを含む。
【００７２】
ネットワークデバイスが時間オフセット指示を端末デバイスに送信するのを助けるために、時間オフセット指示は、この出願のこの実施形態において以下の方式で決定されてもよい。具体的な実現方式は以下のステップを含む。
【００７３】
C1.端末デバイスは、ネットワークデバイスから高レイヤシグナリングを受信し、高レイヤシグナリングは、時間オフセット集合を示す、及び/又は、高レイヤシグナリングは、時間オフセット集合の中の各時間オフセット値に対応するオフセット値を示す。
【００７４】
時間オフセット指示により示される時間オフセット値は、予め設定された時間オフセット集合の中の1つであり、予め設定された時間オフセット集合は、少なくとも1つの時間オフセット値を含み、各時間オフセット値は、オフセット値指示に対応する。
【００７５】
C2.時間オフセット指示を受信した後に、端末デバイスは、特定の時間オフセット値を決定するために、時間オフセット指示を事前に受信した予め設定された時間オフセット集合と比較してもよい。現在受信しているダウンリンク制御情報に対応するデータは、時間オフセット値に基づいて複数のデータから決定できる。
【００７６】
例えば、予め設定された時間オフセット集合の中の時間オフセット値は、{1,2,4,8}でもよい。ネットワークデバイスは、4つの値を示すために、高レイヤシグナリングにおいて2ビットの情報(時間オフセット指示)を使用する。時間オフセット値と時間オフセット指示との間の対応関係は、00が1を示し、01が2を示し、10が4を示し、11が8を示すことでもよい。ダウンリンク制御情報とデータとの間の時間オフセット値が4であるとき、10の時間オフセット指示が端末デバイスに送信されてもよい。10の時間オフセット指示を受信した後に、端末デバイスは、以前に受信した予め設定された時間オフセット値{1,2,4,8}を使用することにより、処理される必要があるデータとダウンリンク制御情報との間の時間オフセット値が4であると決定してもよい。
【００７７】
この実施形態では、スケジューリングに基づくダウンリンク制御情報内のHARQプロセス番号指示情報フィールドは、時間オフセット指示を送信するために再利用されてもよい。言い換えると、時間オフセット指示を送信するためのフィールドは、スケジューリングに基づくダウンリンク制御情報内のHARQプロセス番号指示情報フィールドと同じである。
【００７８】
この出願のこの実施形態では、受信したRNTIに基づいて、ダウンリンク制御情報がアップリンク許可シグナリングのないアップリンク送信のためのものであると決定した後に、端末デバイスは、端末デバイスの許可無しアップリンク送信を効果的に終了させるか或いは動的に調整するために、アップリンク許可シグナリングのないアップリンク送信を終了させてもよい。ネットワークデバイスが端末デバイスにより送信されたアップリンクデータを正しく受信したときに端末デバイスがデータを依然として送信する理由で引き起こされるリソースの浪費、システムへの更なる干渉、及び端末デバイスの電力の浪費が回避できる。
【００７９】
図４に示すように、この出願の実施形態は、ダウンリンク制御情報を受信するための他の方法を更に提供し、当該方法は以下の実現ステップを具体的に含んでもよい。
【００８０】
ステップ401:端末デバイスは、第1のデータをネットワークデバイスに送信し、第1のデータは、アップリンク許可シグナリングのないアップリンク送信である。
【００８１】
ステップ402:ネットワークデバイスは、ダウンリンク制御情報を端末デバイスに送信し、ダウンリンク制御情報は、第1のHARQプロセス番号及びリソース割り当て情報を含み、第1のHARQは、ダウンリンク制御情報がアップリンク許可シグナリングのないアップリンク送信のためのものであることを示すために使用される。
【００８２】
この実施形態では、第1のHARQプロセス番号は、ネットワークデバイスにより構成された専用のHARQプロセスを示し、第1のHARQプロセス番号は、少なくとも、第1のデータがアップリンク許可シグナリングのないアップリンク送信であることを示すために使用される。専用のHARQプロセスのプロセス番号は、他のHARQプロセスのものとは異なる。他のHARQプロセスは、動的アップリンクスケジューリングのみに使用される。
【００８３】
受信したHARQプロセス番号が特別なプロセス番号であると端末デバイスに決定させるために、ネットワークデバイスがダウンリンク制御情報を端末デバイスに送信する前に、ネットワークデバイスは、特定のHARQプロセス番号を端末デバイスに更に送信してもよい。具体的な実現方式は以下の通りでもよい。
【００８４】
ネットワークデバイスは、構成情報を端末デバイスに送信し、構成情報は、第2のHARQプロセス番号を含み、それにより、端末デバイスは、第2のHARQプロセス番号に基づいて、ダウンリンク制御情報がアップリンク許可シグナリングのないアップリンク送信のためのものであることを示すために第1のHARQが使用されると決定する。
【００８５】
ステップ403:ダウンリンク制御情報を受信した後に、第1のHARQプロセス番号が取得された第2のHARQプロセス番号と同じであると端末デバイスが決定した場合、端末デバイスは、ダウンリンク制御情報がアップリンク許可シグナリングのないアップリンク送信のためのものであると決定する。
【００８６】
この実施形態では、ネットワークデバイスが第1のHARQプロセス番号を送信する前に、端末デバイスは、以下の具体的な方式で第2のHARQプロセス番号を取得してもよい。
端末デバイスは、予め定義されたHARQプロセス番号から第2のHARQプロセス番号を取得するか、或いは、
端末デバイスは、ネットワークデバイスにより送信された構成情報から、第2のHARQプロセス番号を取得する。
【００８７】
ステップ404:端末デバイスは、リソース割り当て情報に対応するリソース上で第1のデータの一部又は全部を再送するか、或いは、リソース割り当て情報に対応するリソース上で第2のデータを送信し、第2のデータ及び第1のデータは、同じハイブリッド自動再送要求HARQプロセスのデータである。
【００８８】
この実施形態では、ダウンリンク制御情報を受信した後に、端末デバイスは、ダウンリンク制御情報内のNDIを使用することにより、データを再送するか、新たなデータを送信するかを決定してもよい。具体的な実現方式は以下の通りでもよい。
【００８９】
NDIの値は、少なくとも2つの状態を表し、少なくとも2つの状態の中の第1の状態は、第1のデータの一部又は全部が再送されることを示し、少なくとも2つの状態の中の第2の状態は、第2のデータが送信されることを示す。当該方法は、
端末デバイスにより、NDIの第1の状態に基づいて、リソース割り当て情報に対応するリソース上で第1のデータの一部又は全部を再送するか、或いは、端末デバイスにより、NDIの第2の状態に基づいて、リソース割り当て情報に対応するリソース上で第2のデータを送信することを具体的に含む。
【００９０】
ネットワークデバイスは、リソース割り当て情報に対応するリソース上で、端末デバイスにより再送された第1のデータの一部又は全部を受信するか、或いは、リソース割り当て情報に対応するリソース上で端末デバイスにより送信された第2のデータを受信する。
【００９１】
図５に示すように、この出願の実施形態は、端末デバイスを更に提供する。端末デバイスは、実施形態1に開示された方法を実行するように構成される。この実施形態の特徴に対応する実現方式及びその有利な効果は、実施形態1のものと同様である。詳細はここでは再び説明しない。具体的には、端末デバイスは、
第1の時間単位に第1のデータをネットワークデバイスに送信し、第2の時間単位にネットワークデバイスからダウンリンク制御情報を受信するように構成されたトランシーバ501であり、第1のデータは、アップリンク許可シグナリングのないアップリンク送信であり、ダウンリンク制御情報は、リソース割り当て情報及びダウンリンク制御情報に対応する第1の無線ネットワーク一時識別子RNTIを含む、トランシーバ501と、
第1のRNTIに基づいて、ダウンリンク制御情報がダウンリンク許可シグナリングのないアップリンク送信のためのものであると決定するように構成されたプロセッサ502と
を含んでもよい。
【００９２】
トランシーバ501は、リソース割り当て情報に対応するリソース上で第1のデータの一部又は全部を再送するか、或いは、リソース割り当て情報に対応するリソース上で第2のデータを送信するように更に構成され、第2のデータ及び第1のデータは、同じハイブリッド自動再送要求HARQプロセスのデータである。
【００９３】
任意選択で、プロセッサ502は、第1のRNTIを取得するために、ダウンリンク制御情報の巡回冗長検査ビットをスクランブル解除するように具体的に構成される。
【００９４】
任意選択で、ダウンリンク制御情報が時間オフセット指示を更に含み、時間オフセット指示が、ダウンリンク制御情報が対象とするデータとダウンリンク制御情報との間の時間オフセットを示すために使用される場合、プロセッサ502は、時間オフセット指示及び第2の時間単位に基づいて、ダウンリンク制御情報が第1の時間単位に送信される第1のデータのためのものであると決定するように更に構成される。
【００９５】
任意選択で、ダウンリンク制御情報が時間オフセット指示を更に含む場合、プロセッサ502は、時間オフセット指示及び第2の時間単位に基づいて、ダウンリンク制御情報が、第1の時間単位に送信される第1のデータに対応するHARQプロセスのためのものであると決定するように更に構成され、
トランシーバ501は、リソース割り当て情報に対応するリソース上でHARQプロセスに対応する第2のデータを送信するように具体的に構成される。
【００９６】
任意選択で、トランシーバ501が第1の時間単位に第1のデータをネットワークデバイスに送信することは、第1の時間単位に第1のリソース上で第1のデータをネットワークデバイスに送信し、第1のリソースは、アップリンク許可シグナリングのないアップリンク送信のリソースセットに属することを含み、
プロセッサ502は、ダウンリンク制御情報に基づいて、リソースセット内のリソース上でHARQプロセスに対応するデータを送信するのを停止することを決定するように更に構成される。
【００９７】
任意選択で、プロセッサ502は、予め設定された時間オフセット集合から、時間オフセット指示により示される時間オフセット値を決定するように更に構成され、予め設定された時間オフセット集合は、少なくとも1つの時間オフセット値と少なくとも1つの時間オフセット指示との間の対応関係を含む。
【００９８】
任意選択で、トランシーバ501は、ネットワークデバイスから高レイヤシグナリングを受信するように更に構成され、高レイヤシグナリングは、時間オフセット集合を示す、及び/又は、高レイヤシグナリングは、時間オフセット集合の中の各時間オフセット指示に対応する時間オフセット値を示す。
【００９９】
任意選択で、ダウンリンク制御情報が新データインジケータNDIを更に含む場合、NDIの値は、少なくとも2つの状態を表し、少なくとも2つの状態の中の第1の状態は、第1のデータの一部又は全部が再送されることを示し、少なくとも2つの状態の中の第2の状態は、第2のデータが送信されることを示す。トランシーバがリソース割り当て情報に対応するリソース上で第1のデータの一部又は全部を再送するか、或いは、リソース割り当て情報に対応するリソース上で第2のデータを送信することは、
NDIの第1の状態に基づいて、リソース割り当て情報に対応するリソース上で第1のデータの一部又は全部を再送するか、或いは、NDIの第2の状態に基づいて、リソース割り当て情報に対応するリソース上で第2のデータを送信することを含む。
【０１００】
図６に示すように、この出願の実施形態は、他の端末デバイスを更に提供し、
第1のデータをネットワークデバイスに送信し、ネットワークデバイスからダウンリンク制御情報を受信するように構成されたトランシーバ601であり、ダウンリンク制御情報は、第1のHARQプロセス番号及びリソース割り当て情報を含み、第1のデータは、アップリンク許可シグナリングのないアップリンク送信である、トランシーバ601と、
第1のHARQプロセス番号が取得された第2のHARQプロセス番号と同じであると決定し、ダウンリンク制御情報がアップリンク許可シグナリングのないアップリンク送信のためのものであると決定するように構成されたプロセッサ602と
を含む。
【０１０１】
トランシーバ601は、リソース割り当て情報に対応するリソース上で第1のデータの一部又は全部を再送するか、或いは、リソース割り当て情報に対応するリソース上で第2のデータを送信するように更に構成され、第2のデータ及び第1のデータは、同じハイブリッド自動再送要求HARQプロセスのデータである。
【０１０２】
任意選択で、ダウンリンク制御情報が新データインジケータNDIを更に含む場合、NDIの値は、少なくとも2つの状態を表し、少なくとも2つの状態の中の第1の状態は、第1のデータの一部又は全部が再送されることを示し、少なくとも2つの状態の中の第2の状態は、第2のデータが送信されることを示す。
【０１０３】
トランシーバ601が、リソース割り当て情報に対応するリソース上で第1のデータの一部又は全部を再送するか、或いは、端末デバイスが、リソース割り当て情報に対応するリソース上で第2のデータを送信することは、
NDIの第1の状態に基づいて、リソース割り当て情報に対応するリソース上で第1のデータの一部又は全部を再送するか、或いは、NDIの第2の状態に基づいて、リソース割り当て情報に対応するリソース上で第2のデータを送信することを含む。
【０１０４】
任意選択で、プロセッサ602は、予め定義されたHARQプロセス番号から第2のHARQプロセス番号を取得するか、或いは、ネットワークデバイスにより送信された構成情報から、第2のHARQプロセス番号を取得するように具体的に構成される。
【０１０５】
図７に示すように、この出願の実施形態は、ネットワークデバイスを更に提供し、
第1の時間単位に端末デバイスにより送信された第1のデータを受信するように構成された受信機701であり、第1のデータは、アップリンク許可シグナリングのないアップリンク送信である、受信機701と、
第2の時間単位にダウンリンク制御情報を端末デバイスに送信するように構成された送信機702であり、ダウンリンク制御情報は、リソース割り当て情報及びダウンリンク制御情報に対応する第1の無線ネットワーク一時識別子RNTIを含み、第1のRNTIは、ダウンリンク制御情報がダウンリンク許可シグナリングのないアップリンク送信のためのものであることを示すために使用される、送信機702と
を含む。
【０１０６】
受信機701は、リソース割り当て情報に対応するリソース上で端末デバイスにより再送された第1のデータの一部又は全部、又は、リソース割り当て情報に対応するリソース上で第2の端末により送信された第2のデータを受信するように更に構成され、第2のデータ及び第1のデータは、同じハイブリッド自動再送要求HARQプロセスのデータである。
【０１０７】
任意選択で、ネットワークデバイスは、第1のRNTIを使用することによりダウンリンク制御情報の巡回冗長検査ビットをスクランブル化するように構成されたプロセッサ703を更に含む。
【０１０８】
任意選択で、プロセッサ703は、第1の時間単位と第2の時間単位との間の時間オフセット状態に基づいて時間オフセット指示を決定し、時間オフセット指示をダウンリンク制御情報に追加するように構成され、時間オフセット指示は、ダウンリンク制御情報が対象とするデータとダウンリンク制御情報との間の時間オフセットを示すために使用される。
【０１０９】
任意選択で、プロセッサ703は、予め設定された時間オフセット集合の中の1つを示すために時間オフセット指示を使用するように具体的に構成され、予め設定された時間オフセット集合は、少なくとも1つの時間オフセット値を含み、各時間オフセット値は、オフセット値指示に対応する。
【０１１０】
任意選択で、送信機702は、高レイヤシグナリングを使用することにより、予め設定された時間オフセット集合をネットワークデバイスに送信するように更に構成され、高レイヤシグナリングは、時間オフセット集合を示す、及び/又は、高レイヤシグナリングは、時間オフセット集合の中の各時間オフセット指示に対応する時間オフセット値を示す。
【０１１１】
任意選択で、送信機702により送信されるダウンリンク制御情報は、新データインジケータNDIを更に含み、NDIの値は、少なくとも2つの状態を表し、少なくとも2つの状態の中の第1の状態は、第1のデータの一部又は全部が再送されることを示し、少なくとも2つの状態の中の第2の状態は、第2のデータが送信されることを示す。
【０１１２】
任意選択で、ダウンリンク制御情報は、第1の時間単位に送信される第1のデータのためのものであり、リソース割り当て情報に対応するリソースは、第1のデータを再送するためのリソースであるか、或いは、
ダウンリンク制御情報は、第1のデータに対応するHARQプロセスのためのものであり、リソース割り当て情報に対応するリソースは、HARQプロセスに対応する第2のデータを送信するためのリソースである。
【０１１３】
図８に示すように、この出願の実施形態は、他のネットワークデバイスを更に提供し、
端末デバイスにより送信された第1のデータを受信するように構成された受信機801であり、第1のデータは、アップリンク許可シグナリングのないアップリンク送信である、受信機801と、
ダウンリンク制御情報を端末デバイスに送信するように構成された送信機802であり、ダウンリンク制御情報は、第1のHARQプロセス番号及びリソース割り当て情報を含み、第1のHARQは、ダウンリンク制御情報がアップリンク許可シグナリングのないアップリンク送信のためのものであることを示すために使用される、送信機802と
を含む。
【０１１４】
受信機801は、リソース割り当て情報に対応するリソース上で端末デバイスにより再送された第1のデータの一部又は全部、又は、リソース割り当て情報に対応するリソース上で第2の端末により送信された第2のデータを受信するように更に構成され、第2のデータ及び第1のデータは、同じハイブリッド自動再送要求HARQプロセスのデータである。
【０１１５】
任意選択で、送信機802により送信されるダウンリンク制御情報は、新データインジケータNDIを更に含み、NDIの値は、少なくとも2つの状態を表し、少なくとも2つの状態の中の第1の状態は、第1のデータの一部又は全部が再送されることを示し、少なくとも2つの状態の中の第2の状態は、第2のデータが送信されることを示し、それにより、端末デバイスは、NDIの第1の状態に基づいて、リソース割り当て情報に対応するリソース上で第1のデータの一部又は全部を再送するか、或いは、端末デバイスは、NDIの第2の状態に基づいて、リソース割り当て情報に対応するリソース上で第2のデータを送信する。
【０１１６】
任意選択で、送信機802は、構成情報を端末デバイスに送信するように更に構成され、構成情報は、第2のHARQプロセス番号を含み、それにより、端末デバイスは、第2のHARQプロセス番号に基づいて、第1のHARQが、ダウンリンク制御情報がアップリンク許可シグナリングのないアップリンク送信のためのものであることを示すために使用されると決定する。
【０１１７】
本発明に記載の方法は、実施形態の説明に記載の実施形態に限定されない。本発明の技術的解決に従って当業者により取得される他の実現方式は、依然として本発明の技術革新の範囲内に入る。
【０１１８】
明らかに、当業者は、本発明の真意及び範囲から逸脱することなく、本発明に対して様々な変更及び変形を行うことができる。本発明は、以下の特許請求の範囲及びこれらの等価な技術により定義される保護範囲内に入るという条件で、これらの変更及び変形をカバーすることを意図する。
【図１】
2020511883.tif 000003
【図２】
2020511883.tif 000004
【図３】
2020511883.tif 000005
【図４】
2020511883.tif 000006
【図５】
2020511883.tif 000007
【図６】
2020511883.tif 000008
【図７】
2020511883.tif 000009
【図８】
2020511883.tif 000010
【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
ダウンリンク制御情報を受信するための方法であって、
第1の時間単位に第1のデータをネットワークデバイスに送信するステップであり、前記第1のデータは、アップリンク許可シグナリングのないアップリンク送信である、ステップと、
第2の時間単位に前記ネットワークデバイスからダウンリンク制御情報を受信するステップであり、前記ダウンリンク制御情報は、リソース割り当て情報及び前記ダウンリンク制御情報に対応する第1の無線ネットワーク一時識別子(RNTI)を含む、ステップと、
前記第1のRNTIに基づいて、前記ダウンリンク制御情報がアップリンク許可シグナリングのない前記アップリンク送信のためのものであると決定するステップと、
前記リソース割り当て情報に対応するリソース上で前記第1のデータの一部又は全部を再送するステップ、又は、前記リソース割り当て情報に対応するリソース上で第2のデータを送信するステップであり、前記第2のデータ及び前記第1のデータは、同じハイブリッド自動再送要求(HARQ)プロセスのデータである、ステップと
を含む方法。
【請求項２】
前記ダウンリンク制御情報は、時間オフセット指示を更に含み、前記時間オフセット指示は、前記ダウンリンク制御情報が対象とするデータと前記ダウンリンク制御情報との間の時間オフセットを示すために使用され、
前記第1のRNTIに基づいて、前記ダウンリンク制御情報がアップリンク許可シグナリングのない前記アップリンク送信のためのものであると決定した後、且つ、前記リソース割り当て情報に対応するリソース上で前記第1のデータの一部又は全部を再送する前に、当該方法は、
前記時間オフセット指示及び前記第2の時間単位に基づいて、前記ダウンリンク制御情報が前記第1の時間単位に送信される前記第1のデータのためのものであると決定するステップを更に含む、請求項１に記載の方法。
【請求項３】
前記ダウンリンク制御情報は、前記時間オフセット指示を更に含み、
前記第1のRNTIに基づいて、前記ダウンリンク制御情報がアップリンク許可シグナリングのない前記アップリンク送信のためのものであると決定した後、且つ、前記リソース割り当て情報に対応するリソース上で第2のデータを送信する前に、当該方法は、
前記時間オフセット指示及び前記第2の時間単位に基づいて、前記ダウンリンク制御情報が、前記第1の時間単位に送信される前記第1のデータに対応する前記HARQプロセスのためのものであると決定するステップを更に含み、
前記リソース割り当て情報に対応するリソース上で第2のデータを送信するステップは、
前記リソース割り当て情報に対応する前記リソース上で前記HARQプロセスに対応する前記第2のデータを送信するステップを含む、請求項１又は２に記載の方法。
【請求項４】
第1の時間単位に第1のデータをネットワークデバイスに送信するステップは、前記第1の時間単位に第1のリソース上で前記第1のデータを前記ネットワークデバイスに送信するステップであり、前記第1のリソースは、アップリンク許可シグナリングのない前記アップリンク送信のリソースセットに属する、ステップを含み、
当該方法は、前記ダウンリンク制御情報に基づいて、前記リソースセット内のリソース上で前記HARQプロセスに対応するデータを送信するのを停止するステップを更に含む、請求項１乃至３のうちいずれか１項に記載の方法。
【請求項５】
前記時間オフセット指示により示される時間オフセット値は、予め設定された時間オフセット集合の中の1つであり、前記予め設定された時間オフセット集合は、少なくとも1つの時間オフセット値を含み、各時間オフセット値は、時間オフセット指示に対応する、請求項２乃至４のうちいずれか１項に記載の方法。
【請求項６】
第1の時間単位に第1のデータをネットワークデバイスに送信する前に、当該方法は、
前記ネットワークデバイスから高レイヤシグナリングを受信するステップであり、前記高レイヤシグナリングは、前記時間オフセット集合を示す、及び/又は、前記高レイヤシグナリングは、前記時間オフセット集合の中の各時間オフセット指示に対応する時間オフセット値を示す、ステップを更に含む、請求項５に記載の方法。
【請求項７】
前記ダウンリンク制御情報は、新データインジケータ(NDI)を更に含み、異なるNDI値により表される少なくとも2つの状態の中の第1の状態は、前記第1のデータの前記一部又は全部が再送されることを示し、前記少なくとも2つの状態の中の第2の状態は、前記第2のデータが送信されることを示し、
前記リソース割り当て情報に対応するリソース上で前記第1のデータの一部又は全部を再送するステップ、又は、前記リソース割り当て情報に対応するリソース上で第2のデータを送信するステップは、
前記NDIの前記第1の状態に基づいて、前記リソース割り当て情報に対応する前記リソース上で前記第1のデータの前記一部又は全部を再送するステップ、又は、前記NDIの前記第2の状態に基づいて、前記リソース割り当て情報に対応する前記リソース上で前記第2のデータを送信するステップを含む、請求項１乃至６のうちいずれか１項に記載の方法。
【請求項８】
ダウンリンク制御情報を送信するための方法であって、
第1の時間単位に端末デバイスにより送信された第1のデータを受信するステップであり、前記第1のデータは、アップリンク許可シグナリングのないアップリンク送信である、ステップと、
第2の時間単位にダウンリンク制御情報を前記端末デバイスに送信するステップであり、前記ダウンリンク制御情報は、リソース割り当て情報及び前記ダウンリンク制御情報に対応する第1の無線ネットワーク一時識別子(RNTI)を含み、前記第1のRNTIは、前記ダウンリンク制御情報がアップリンク許可シグナリングのない前記アップリンク送信のためのものであることを示すために使用される、ステップと、
前記リソース割り当て情報に対応するリソース上で前記端末デバイスにより再送された前記第1のデータの一部又は全部を受信するステップ、又は、前記リソース割り当て情報に対応するリソース上で前記端末デバイスにより送信された第2のデータを受信するステップであり、前記第2のデータ及び前記第1のデータは、同じハイブリッド自動再送要求(HARQ)プロセスのデータである、ステップと
を含む方法。
【請求項９】
前記ダウンリンク制御情報は、時間オフセット指示を更に含み、前記時間オフセット指示は、前記ダウンリンク制御情報が対象とするデータと前記ダウンリンク制御情報との間の時間オフセットを示すために使用され、第2の時間単位にダウンリンク制御情報を前記端末デバイスに送信する前に、当該方法は、
前記第1の時間単位と前記第2の時間単位との間の時間オフセット指示を決定するステップを更に含む、請求項８に記載の方法。
【請求項１０】
前記時間オフセット指示により示される時間オフセット値は、予め設定された時間オフセット集合の中の1つであり、前記予め設定された時間オフセット集合は、少なくとも1つの時間オフセット値を含み、各時間オフセット値は、時間オフセット指示に対応する、請求項９に記載の方法。
【請求項１１】
第2の時間単位にダウンリンク制御情報を前記端末デバイスに送信する前に、当該方法は、
高レイヤシグナリングを前記端末デバイスに送信するステップであり、前記高レイヤシグナリングは、前記時間オフセット集合を示す、及び/又は、前記高レイヤシグナリングは、前記時間オフセット集合の中の各時間オフセット指示に対応する時間オフセット値を示す、ステップを含む、請求項１０に記載の方法。
【請求項１２】
前記ダウンリンク制御情報は、新データインジケータ(NDI)を更に含み、異なるNDI値により表される少なくとも2つの状態の中の第1の状態は、前記第1のデータの前記一部又は全部が再送されることを示し、前記少なくとも2つの状態の中の第2の状態は、前記第2のデータが送信されることを示し、
前記ダウンリンク制御情報が前記NDIの前記第1の状態を含む場合、前記端末デバイスにより再送された前記第1のデータの前記一部又は全部は、前記リソース割り当て情報に対応する前記リソース上で受信されるか、或いは、
前記ダウンリンク制御情報が前記NDIの前記第2の状態を含む場合、前記端末デバイスにより送信された前記第2のデータは、前記リソース割り当て情報に対応する前記リソース上で受信される、請求項８乃至１１のうちいずれか１項に記載の方法。
【請求項１３】
前記ダウンリンク制御情報は、前記第1の時間単位に送信される前記第1のデータのためのものであり、前記リソース割り当て情報に対応する前記リソースは、前記第1のデータを再送するためのリソースであるか、或いは、
前記ダウンリンク制御情報は、前記第1のデータに対応する前記HARQプロセスのためのものであり、前記リソース割り当て情報に対応する前記リソースは、前記HARQプロセスに対応する前記第2のデータを送信するためのリソースである、請求項８乃至１２のうちいずれか１項に記載の方法。
【請求項１４】
端末デバイスであって、
第1の時間単位に第1のデータをネットワークデバイスに送信し、第2の時間単位に前記ネットワークデバイスからダウンリンク制御情報を受信するように構成されたトランシーバであり、前記第1のデータは、アップリンク許可シグナリングのないアップリンク送信であり、前記ダウンリンク制御情報は、リソース割り当て情報及び前記ダウンリンク制御情報に対応する第1の無線ネットワーク一時識別子(RNTI)を含む、トランシーバと、
前記第1のRNTIに基づいて、前記ダウンリンク制御情報がアップリンク許可シグナリングのない前記アップリンク送信のためのものであると決定するように構成されたプロセッサと
を含み、
前記トランシーバは、前記リソース割り当て情報に対応するリソース上で前記第1のデータの一部又は全部を再送するか、或いは、前記リソース割り当て情報に対応するリソース上で第2のデータを送信するように更に構成され、前記第2のデータ及び前記第1のデータは、同じハイブリッド自動再送要求(HARQ)プロセスのデータである、端末デバイス。
【請求項１５】
前記ダウンリンク制御情報は、時間オフセット指示を更に含み、前記時間オフセット指示は、前記ダウンリンク制御情報が対象とするデータと前記ダウンリンク制御情報との間の時間オフセットを示すために使用され、
前記プロセッサは、前記時間オフセット指示及び前記第2の時間単位に基づいて、前記ダウンリンク制御情報が前記第1の時間単位に送信される前記第1のデータのためのものであると決定するように更に構成される、請求項１４に記載の端末デバイス。
【請求項１６】
前記ダウンリンク制御情報は、前記時間オフセット指示を更に含み、
前記プロセッサは、前記時間オフセット指示及び前記第2の時間単位に基づいて、前記ダウンリンク制御情報が、前記第1の時間単位に送信される前記第1のデータに対応する前記HARQプロセスのためのものであると決定するように更に構成され、
前記トランシーバは、前記リソース割り当て情報に対応する前記リソース上で前記HARQプロセスに対応する前記第2のデータを送信するように具体的に構成される、請求項１５に記載の端末デバイス。
【請求項１７】
前記トランシーバが第1の時間単位に第1のデータをネットワークデバイスに送信することは、前記第1の時間単位に第1のリソース上で前記第1のデータを前記ネットワークデバイスに送信し、前記第1のリソースは、アップリンク許可シグナリングのない前記アップリンク送信のリソースセットに属することを含み、
前記プロセッサは、前記ダウンリンク制御情報に基づいて、前記リソースセット内のリソース上で前記HARQプロセスに対応するデータを送信するのを停止することを決定するように更に構成される、請求項１５又は１６に記載の端末デバイス。
【請求項１８】
前記時間オフセット指示により示される時間オフセット値は、予め設定された時間オフセット集合の中の1つであり、前記予め設定された時間オフセット集合は、少なくとも1つの時間オフセット値を含み、各時間オフセット値は、時間オフセット指示に対応する、請求項１５乃至１７のうちいずれか１項に記載の端末デバイス。
【請求項１９】
前記トランシーバは、前記ネットワークデバイスから高レイヤシグナリングを受信するように更に構成され、前記高レイヤシグナリングは、前記時間オフセット集合を示す、及び/又は、前記高レイヤシグナリングは、前記時間オフセット集合の中の各時間オフセット指示に対応する時間オフセット値を示す、請求項１８に記載の端末デバイス。
【請求項２０】
前記ダウンリンク制御情報は、新データインジケータ(NDI)を更に含み、異なるNDI値により表される少なくとも2つの状態の中の第1の状態は、前記第1のデータの前記一部又は全部が再送されることを示し、前記少なくとも2つの状態の中の第2の状態は、前記第2のデータが送信されることを示し、
前記トランシーバが前記リソース割り当て情報に対応するリソース上で前記第1のデータの一部又は全部を再送するか、或いは、前記リソース割り当て情報に対応するリソース上で第2のデータを送信することは、
前記NDIの前記第1の状態に基づいて、前記リソース割り当て情報に対応する前記リソース上で前記第1のデータの前記一部又は全部を再送するか、或いは、前記NDIの前記第2の状態に基づいて、前記リソース割り当て情報に対応する前記リソース上で前記第2のデータを送信することを含む、請求項１４乃至１９のうちいずれか１項に記載の端末デバイス。
【請求項２１】
ネットワークデバイスであって、
第1の時間単位に端末デバイスにより送信された第1のデータを受信するように構成された受信機であり、前記第1のデータは、アップリンク許可シグナリングのないアップリンク送信である、受信機と、
第2の時間単位にダウンリンク制御情報を前記端末デバイスに送信するように構成された送信機であり、前記ダウンリンク制御情報は、リソース割り当て情報及び前記ダウンリンク制御情報に対応する第1の無線ネットワーク一時識別子(RNTI)を含み、前記第1のRNTIは、前記ダウンリンク制御情報がアップリンク許可シグナリングのない前記アップリンク送信のためのものであることを示すために使用される、送信機と
を含み、
前記受信機は、前記リソース割り当て情報に対応するリソース上で前記端末デバイスにより再送された前記第1のデータの一部又は全部、又は、前記リソース割り当て情報に対応するリソース上で送信された第2のデータを受信するように更に構成され、前記第2のデータ及び前記第1のデータは、同じハイブリッド自動再送要求(HARQ)プロセスのデータである、ネットワークデバイス。
【請求項２２】
当該ネットワークデバイスは、前記第1の時間単位と前記第2の時間単位との間の時間オフセット状態に基づいて時間オフセット指示を決定し、前記時間オフセット指示を前記ダウンリンク制御情報に追加するように構成されたプロセッサであり、前記時間オフセット指示は、前記ダウンリンク制御情報が対象とするデータと前記ダウンリンク制御情報との間の時間オフセットを示すために使用される、プロセッサを更に含む、請求項２１に記載のネットワークデバイス。
【請求項２３】
前記プロセッサは、予め設定された時間オフセット集合の中の時間オフセット値を示すために前記時間オフセット指示を使用するように具体的に構成され、前記予め設定された時間オフセット集合は、少なくとも1つの時間オフセット値を含み、各時間オフセット値は、時間オフセット指示に対応する、請求項２２に記載のネットワークデバイス。
【請求項２４】
前記送信機は、高レイヤシグナリングを使用することにより、前記予め設定された時間オフセット集合を前記端末デバイスに送信するように更に構成され、前記高レイヤシグナリングは、前記時間オフセット集合を示す、及び/又は、前記高レイヤシグナリングは、前記時間オフセット集合の中の各時間オフセット指示に対応する時間オフセット値を示す、請求項２３に記載のネットワークデバイス。
【請求項２５】
前記送信機により送信される前記ダウンリンク制御情報は、新データインジケータ(NDI)を更に含み、異なるNDI値により表される少なくとも2つの状態の中の第1の状態は、前記第1のデータの前記一部又は全部が再送されることを示し、前記少なくとも2つの状態の中の第2の状態は、前記第2のデータが送信されることを示す、請求項２１乃至２４のうちいずれか１項に記載のネットワークデバイス。
【請求項２６】
前記ダウンリンク制御情報は、前記第1の時間単位に送信される前記第1のデータのためのものであり、前記リソース割り当て情報に対応する前記リソースは、前記第1のデータを再送するためのリソースであるか、或いは、
前記ダウンリンク制御情報は、前記第1のデータに対応する前記HARQプロセスのためのものであり、前記リソース割り当て情報に対応する前記リソースは、前記HARQプロセスに対応する前記第2のデータを送信するためのリソースである、請求項２１乃至２５のうちいずれか１項に記載のネットワークデバイス。
【請求項２７】
プロセッサと、前記プロセッサに結合されたメモリとを含む、ダウンリンク制御情報を受信するための装置であって、
前記メモリは、プログラムを記憶するように構成され、前記プロセッサは、前記プログラムを実行するように構成され、前記プログラムが実行されたとき、請求項１乃至７のうちいずれか１項に記載の方法のステップが実現される、装置。
【請求項２８】
プロセッサと、前記プロセッサに結合されたメモリとを含む、ダウンリンク制御情報を送信するための装置であって、
前記メモリは、プログラムを記憶するように構成され、前記プロセッサは、前記プログラムを実行するように構成され、前記プログラムが実行されたとき、請求項８乃至１３のうちいずれか１項に記載の方法のステップが実現される、装置。
【請求項２９】
命令を含むコンピュータ読み取り可能記憶媒体であって、
前記命令がコンピュータ上で実行されたとき、前記コンピュータは、請求項１乃至１３のうちいずれか１項に記載の方法を実行する、コンピュータ読み取り可能記憶媒体。
【請求項３０】
コンピュータに請求項１乃至１３のうちいずれか１項に記載の方法を実行させるプログラム。
【手続補正２】
【補正対象書類名】明細書
【補正対象項目名】００１５
【補正方法】変更
【補正の内容】
【００１５】
第1の態様によれば、ダウンリンク制御情報を受信するための方法が提供され、当該方法は、
端末デバイスにより、第1の時間単位に第1のデータをネットワークデバイスに送信するステップであり、第1のデータは、アップリンク許可シグナリングのないアップリンク送信であり、第1の時間単位は第1のデータを送信するための時間値である、ステップと、
端末デバイスにより、第2の時間単位にネットワークデバイスからダウンリンク制御情報を受信するステップであり、ダウンリンク制御情報は、リソース割り当て情報及びダウンリンク制御情報に対応する第1の無線ネットワーク一時識別子RNTIを含む、ステップと、
第1のRNTIに基づいて、ダウンリンク制御情報がアップリンク許可シグナリングのないアップリンク送信のためのものであると決定するステップと、
端末デバイスにより、リソース割り当て情報に対応するリソース上で第1のデータの一部又は全部を再送するステップ、又は、端末デバイスにより、リソース割り当て情報に対応するリソース上で第2のデータを送信するステップであり、第2のデータ及び第1のデータは、同じハイブリッド自動再送要求HARQプロセスのデータである、ステップと
を含む。
【手続補正３】
【補正対象書類名】明細書
【補正対象項目名】００１７
【補正方法】変更
【補正の内容】
【００１７】
他の任意選択の実現方式では、ダウンリンク制御情報は、時間オフセット指示を更に含み、時間オフセット指示は、ダウンリンク制御情報が対象とするデータとダウンリンク制御情報との間の時間オフセットを示すために使用され、
端末デバイスにより、第1のRNTIに基づいて、ダウンリンク制御情報がアップリンク許可シグナリングのないアップリンク送信のためのものであると決定した後、且つ、端末デバイスにより、リソース割り当て情報に対応するリソース上で第1のデータの一部又は全部を再送する前に、当該方法は、
端末デバイスにより、時間オフセット指示及び第2の時間単位に基づいて、ダウンリンク制御情報が第1の時間単位に送信される第1のデータのためのものであると決定するステップを更に含む。
【手続補正４】
【補正対象書類名】明細書
【補正対象項目名】００１８
【補正方法】変更
【補正の内容】
【００１８】
他の任意選択の実現方式では、ダウンリンク制御情報は、時間オフセット指示を更に含み、
端末デバイスにより、第1のRNTIに基づいて、ダウンリンク制御情報がアップリンク許可シグナリングのないアップリンク送信のためのものであると決定した後、且つ、端末デバイスにより、リソース割り当て情報に対応するリソース上で第2のデータを送信する前に、当該方法は、
端末デバイスにより、時間オフセット指示及び第2の時間単位に基づいて、ダウンリンク制御情報が、第1の時間単位に送信される第1のデータに対応するHARQプロセスのためのものであると決定するステップを更に含み、
端末デバイスにより、リソース割り当て情報に対応するリソース上で第2のデータを送信するステップは、
端末デバイスにより、リソース割り当て情報に対応するリソース上でHARQプロセスに対応する第2のデータを送信するステップを含む。
【手続補正５】
【補正対象書類名】明細書
【補正対象項目名】００２０
【補正方法】変更
【補正の内容】
【００２０】
他の任意選択の実現方式では、時間オフセット指示により示される時間オフセット値は、予め設定された時間オフセット集合の中の1つであり、予め設定された時間オフセット集合は、少なくとも1つの時間オフセット値を含み、各時間オフセット値は、時間オフセット指示に対応する。
【手続補正６】
【補正対象書類名】明細書
【補正対象項目名】００２７
【補正方法】変更
【補正の内容】
【００２７】
第3の態様によれば、ダウンリンク制御情報を送信するための方法が提供され、当該方法は、
ネットワークデバイスにより、第1の時間単位に端末デバイスにより送信された第1のデータを受信するステップであり、第1のデータは、アップリンク許可シグナリングのないアップリンク送信である、ステップと、
ネットワークデバイスにより、第2の時間単位にダウンリンク制御情報を端末デバイスに送信するステップであり、ダウンリンク制御情報は、リソース割り当て情報及びダウンリンク制御情報に対応する第1の無線ネットワーク一時識別子RNTIを含み、第1のRNTIは、ダウンリンク制御情報がアップリンク許可シグナリングのないアップリンク送信のためのものであることを示すために使用される、ステップと、
ネットワークデバイスにより、リソース割り当て情報に対応するリソース上で端末デバイスにより再送された第1のデータの一部又は全部を受信するステップ、又は、ネットワークデバイスにより、リソース割り当て情報に対応するリソース上で端末デバイスにより送信された第2のデータを受信するステップであり、第2のデータ及び第1のデータは、同じハイブリッド自動再送要求HARQプロセスのデータである、ステップと
を含む。
【手続補正７】
【補正対象書類名】明細書
【補正対象項目名】００２９
【補正方法】変更
【補正の内容】
【００２９】
任意選択の実現方式では、時間オフセット指示により示される時間オフセット値は、予め設定された時間オフセット集合の中の1つであり、予め設定された時間オフセット集合は、少なくとも1つの時間オフセット値を含み、各時間オフセット値は、時間オフセット指示に対応する。
【手続補正８】
【補正対象書類名】明細書
【補正対象項目名】００３３
【補正方法】変更
【補正の内容】
【００３３】
第4の態様によれば、端末デバイスが提供され、
第1の時間単位に第1のデータをネットワークデバイスに送信し、第2の時間単位にネットワークデバイスからダウンリンク制御情報を受信するように構成されたトランシーバであり、第1のデータは、アップリンク許可シグナリングのないアップリンク送信であり、ダウンリンク制御情報は、リソース割り当て情報及びダウンリンク制御情報に対応する第1の無線ネットワーク一時識別子RNTIを含む、トランシーバと、
第1のRNTIに基づいて、ダウンリンク制御情報がアップリンク許可シグナリングのないアップリンク送信のためのものであると決定するように構成されたプロセッサと
を含み、
トランシーバは、リソース割り当て情報に対応するリソース上で第1のデータの一部又は全部を再送するか、或いは、リソース割り当て情報に対応するリソース上で第2のデータを送信するように更に構成され、第2のデータ及び第1のデータは、同じハイブリッド自動再送要求HARQプロセスのデータである。
【手続補正９】
【補正対象書類名】明細書
【補正対象項目名】００３７
【補正方法】変更
【補正の内容】
【００３７】
任意選択の実現方式では、時間オフセット指示により示される時間オフセット値は、予め設定された時間オフセット集合の中の1つであり、予め設定された時間オフセット集合は、少なくとも1つの時間オフセット値を含み、各時間オフセット値は、時間オフセット指示に対応する。
【手続補正１０】
【補正対象書類名】明細書
【補正対象項目名】００４０
【補正方法】変更
【補正の内容】
【００４０】
第5の態様によれば、ネットワークデバイスが提供され、
第1の時間単位に端末デバイスにより送信された第1のデータを受信するように構成された受信機であり、第1のデータは、アップリンク許可シグナリングのないアップリンク送信である、受信機と、
第2の時間単位にダウンリンク制御情報を端末デバイスに送信するように構成された送信機であり、ダウンリンク制御情報は、リソース割り当て情報及びダウンリンク制御情報に対応する第1の無線ネットワーク一時識別子RNTIを含み、第1のRNTIは、ダウンリンク制御情報がアップリンク許可シグナリングのないアップリンク送信のためのものであることを示すために使用される、送信機と
を含み、
受信機は、リソース割り当て情報に対応するリソース上で端末デバイスにより再送された第1のデータの一部又は全部、又は、リソース割り当て情報に対応するリソース上で送信された第2のデータを受信するように更に構成され、第2のデータ及び第1のデータは、同じハイブリッド自動再送要求HARQプロセスのデータである。
【手続補正１１】
【補正対象書類名】明細書
【補正対象項目名】００４２
【補正方法】変更
【補正の内容】
【００４２】
任意選択の実現方式では、プロセッサは、予め設定された時間オフセット集合の中の時間オフセット値を示すために時間オフセット指示を使用するように具体的に構成され、予め設定された時間オフセット集合は、少なくとも1つの時間オフセット値を含み、各時間オフセット値は、時間オフセット指示に対応する。
【手続補正１２】
【補正対象書類名】明細書
【補正対象項目名】００４３
【補正方法】変更
【補正の内容】
【００４３】
任意選択の実現方式では、送信機は、高レイヤシグナリングを使用することにより、予め設定された時間オフセット集合を端末デバイスに送信するように更に構成され、高レイヤシグナリングは、時間オフセット集合を示す、及び/又は、高レイヤシグナリングは、時間オフセット集合の中の各時間オフセット指示に対応する時間オフセット値を示す。
【手続補正１３】
【補正対象書類名】明細書
【補正対象項目名】００５０
【補正方法】変更
【補正の内容】
【００５０】
ステップ302:ネットワークデバイスは、第2の時間単位にダウンリンク制御情報を端末デバイスに送信し、ダウンリンク制御情報は、リソース割り当て情報及びダウンリンク制御情報に対応する第1の無線ネットワーク一時識別子(Radio  Network  Temporary  Identifier,  RNTI)を含み、第1のRNTIは、ダウンリンク制御情報がアップリンク許可シグナリングのないアップリンク送信のためのものであることを示すために使用される。
【手続補正１４】
【補正対象書類名】明細書
【補正対象項目名】００５２
【補正方法】変更
【補正の内容】
【００５２】
ステップ303:ダウンリンク制御情報を受信した後に、端末デバイスは、ダウンリンク制御情報内の第1のRNTIに基づいて、ダウンリンク制御情報がアップリンク許可シグナリングのないアップリンク送信のためのものであると決定する。
【手続補正１５】
【補正対象書類名】明細書
【補正対象項目名】００５５
【補正方法】変更
【補正の内容】
【００５５】
ダウンリンク制御情報を受信した後に、端末デバイスが、ダウンリンク制御情報内の第1のRNTIに基づいて、ダウンリンク制御情報がアップリンク許可シグナリングのないアップリンク送信のためのものであると決定することは、
端末デバイスにより、第1のRNTIを使用することによりダウンリンク制御情報の巡回冗長検査ビットをスクランブル解除し、スクランブル解除された巡回冗長検査ビットのチェックサムがゼロである場合、端末デバイスにより、ダウンリンク制御情報が、アップリンク許可シグナリングのないアップリンク送信のためのものであると決定することを含む。
【手続補正１６】
【補正対象書類名】明細書
【補正対象項目名】００５９
【補正方法】変更
【補正の内容】
【００５９】
この実施形態では、ダウンリンク制御情報がアップリンク許可シグナリングのないアップリンク送信のためのものであると決定された後に、ネットワークデバイスにより送信される新データインジケータ(new  data  indicator,  NDI)は、第1のデータを再送するか、新たな第2のデータを送信するかを決定するために更に使用されてもよい。具体的な実現プロセスは以下の通りでもよい。
【手続補正１７】
【補正対象書類名】明細書
【補正対象項目名】００６５
【補正方法】変更
【補正の内容】
【００６５】
この実施形態では、端末デバイスが複数のデータをネットワークデバイスに送信する場合、ネットワークデバイスがダウンリンク制御情報を送信する対象のデータは、以下の実現方式を使用することにより決定されてもよい。端末デバイスにより、第1のRNTIに基づいて、ダウンリンク制御情報がアップリンク許可シグナリングのないアップリンク送信のためのものであると決定した後、且つ、端末デバイスにより、リソース割り当て情報に対応するリソース上で第1のデータの一部又は全部を再送する前に、当該方法は、
時間オフセット指示を使用することにより、ダウンリンク制御情報に対応する第1のデータを決定することを具体的に含む。具体的には以下の通りである。
【手続補正１８】
【補正対象書類名】明細書
【補正対象項目名】００６９
【補正方法】変更
【補正の内容】
【００６９】
任意選択で、ネットワークデバイスにより、予め設定された時間オフセット集合を端末デバイスに送信する具体的な実現方式は、
ネットワークデバイスにより、高レイヤシグナリングを使用することにより時間オフセット集合を端末デバイスに送信することでもよい。
【手続補正１９】
【補正対象書類名】明細書
【補正対象項目名】００７３
【補正方法】変更
【補正の内容】
【００７３】
C1.端末デバイスは、ネットワークデバイスから高レイヤシグナリングを受信し、高レイヤシグナリングは、時間オフセット集合を示す、及び/又は、高レイヤシグナリングは、時間オフセット集合の中の各時間オフセット指示に対応するオフセット値を示す。
【手続補正２０】
【補正対象書類名】明細書
【補正対象項目名】００７４
【補正方法】変更
【補正の内容】
【００７４】
時間オフセット指示により示される時間オフセット値は、予め設定された時間オフセット集合の中の1つであり、予め設定された時間オフセット集合は、少なくとも1つの時間オフセット値を含み、各時間オフセット値は、時間オフセット指示に対応する。
【手続補正２１】
【補正対象書類名】明細書
【補正対象項目名】００８１
【補正方法】変更
【補正の内容】
【００８１】
ステップ402:ネットワークデバイスは、ダウンリンク制御情報を端末デバイスに送信し、ダウンリンク制御情報は、第1のHARQプロセス番号及びリソース割り当て情報を含み、第1のHARQプロセス番号は、ダウンリンク制御情報がアップリンク許可シグナリングのないアップリンク送信のためのものであることを示すために使用される。
【手続補正２２】
【補正対象書類名】明細書
【補正対象項目名】００９１
【補正方法】変更
【補正の内容】
【００９１】
図５に示すように、この出願の実施形態は、端末デバイスを更に提供する。端末デバイスは、方法の実施形態に開示された方法を実行するように構成される。この実施形態の特徴に対応する実現方式及びその有利な効果は、方法の実施形態のものと同様である。詳細はここでは再び説明しない。具体的には、端末デバイスは、
第1の時間単位に第1のデータをネットワークデバイスに送信し、第2の時間単位にネットワークデバイスからダウンリンク制御情報を受信するように構成されたトランシーバ501であり、第1のデータは、アップリンク許可シグナリングのないアップリンク送信であり、ダウンリンク制御情報は、リソース割り当て情報及びダウンリンク制御情報に対応する第1の無線ネットワーク一時識別子RNTIを含む、トランシーバ501と、
第1のRNTIに基づいて、ダウンリンク制御情報がアップリンク許可シグナリングのないアップリンク送信のためのものであると決定するように構成されたプロセッサ502と
を含んでもよい。
【手続補正２３】
【補正対象書類名】明細書
【補正対象項目名】００９３
【補正方法】変更
【補正の内容】
【００９３】
任意選択で、プロセッサ502は、第1のRNTIを使用することにより、ダウンリンク制御情報の巡回冗長検査ビットをスクランブル解除するように具体的に構成される。
【手続補正２４】
【補正対象書類名】明細書
【補正対象項目名】０１０５
【補正方法】変更
【補正の内容】
【０１０５】
図７に示すように、この出願の実施形態は、ネットワークデバイスを更に提供し、
第1の時間単位に端末デバイスにより送信された第1のデータを受信するように構成された受信機701であり、第1のデータは、アップリンク許可シグナリングのないアップリンク送信である、受信機701と、
第2の時間単位にダウンリンク制御情報を端末デバイスに送信するように構成された送信機702であり、ダウンリンク制御情報は、リソース割り当て情報及びダウンリンク制御情報に対応する第1の無線ネットワーク一時識別子RNTIを含み、第1のRNTIは、ダウンリンク制御情報がアップリンク許可シグナリングのないアップリンク送信のためのものであることを示すために使用される、送信機702と
を含む。
【手続補正２５】
【補正対象書類名】明細書
【補正対象項目名】０１０９
【補正方法】変更
【補正の内容】
【０１０９】
任意選択で、プロセッサ703は、予め設定された時間オフセット集合の中の1つを示すために時間オフセット指示を使用するように具体的に構成され、予め設定された時間オフセット集合は、少なくとも1つの時間オフセット値を含み、各時間オフセット値は、時間オフセット指示に対応する。
【国際調査報告】
2020511883.tif 000011
2020511883.tif 000012
2020511883.tif 000013
2020511883.tif 000014